(57)【特許請求の範囲】
【請求項１】
少なくとも１つのコンピューティングデバイスと、
前記少なくとも１つのコンピューティングデバイスで実行可能なクーポンクリアリングハウスアプリケーションと、
を備え、前記クーポンクリアリングハウスアプリケーションは、
デジタルクーポンを適用する少なくとも１つの製品および前記デジタルクーポンに対する少なくとも１つのクーポン制限を備えるクーポン仕様を受け取るロジックと、
クーポン発行者のためにユーザへの前記デジタルクーポンの配布を支援するロジックと、
前記クーポン発行者のために少なくとも１つの第三者小売店サイトで前記デジタルクーポンの償還を支援するロジックと、
前記デジタルクーポンの配布および償還の少なくとも一方に関する少なくとも１つの統計値を備えるクーポンメトリクスレポートを生成するロジックと、
利用されたデジタルクーポンの数と、前記第三者小売店サイトに支払われた総額を詳述する請求書を生成するロジックと、
を備え、
前記クーポン制限はさらに最小宣伝価格を備え、
前記クーポンクリアリングハウスアプリケーションはさらに、
第三者小売店サイトの前記製品と関連づけられた最小宣伝価格を特定することによって前記クーポン制限を実施するロジックと、
最小宣伝価格が前記クーポン制限によって指定された価格を超過する場合に、前記デジタルクーポンの償還を拒否するロジックとを備える、
システム。
【請求項２】
クーポン発行者インターフェースはさらに、
前記クーポン発行者によって発行された第２の請求書を特定するロジックと、
前記第２の請求書から前記請求書によって指定された金額を差し引くロジックと、
を備える、
請求項１に記載のシステム。
【請求項３】
前記少なくとも１つのクーポン制限はさらに、前記デジタルクーポンの償還の最大総数、およびユーザに割り当てることが可能な前記クーポン仕様によって指定されたデジタルクーポンの最大総数の少なくとも一方を規定するデジタルクーポン予算を備える、
請求項１に記載のシステム。
【請求項４】
前記クーポン発行者のために少なくとも１つの第三者小売店サイトで前記デジタルクーポンの償還を支援する前記ロジックはさらに、前記クーポン発行者のために前記少なくとも１つのクーポン制限を実施するロジックを備え、前記クーポンクリアリングハウスアプリケーションは、前記クーポン発行者によって指定されたクーポン制限が違反された場合、前記デジタルクーポンの償還を拒否する、
請求項１に記載のシステム。
【請求項５】
前記クーポン仕様はさらに、前記クーポン発行者が前記少なくとも１つの製品の販売と関連して支払うことを確約する金額を備える、
請求項１に記載のシステム。
【発明の詳細な説明】
【技術分野】
【０００１】
本開示の技術はデジタルクーポンシステムに関する。
【背景技術】
【０００２】
従来のクーポンは、新聞や他の出版物にしばしば掲載され、様々な機能が欠けている。
【発明の概要】
【発明が解決しようとする課題】
【０００３】
出版物に掲載される従来のクーポンは、クーポン発行者が届けたい特定のユーザを対象とすることができず、クーポンが掲載された内容への関連性を欠くことが多い。さらに、償還を自動化することができない。しばしば、ユーザはまた、小売店でクーポンを利用するために、従来のクーポンの物理的なコピーを物理的に切り抜いて、保持しなければならない。
【課題を解決するための手段】
【０００４】
本開示の態様の一つはシステムであって、少なくとも１つのコンピューティングデバイスと、前記少なくとも１つのコンピューティングデバイスで実行可能なクーポンクリアリングハウスアプリケーションとを備え、前記クーポンクリアリングハウスアプリケーションは、第三者小売店サイトアカウントと関連づけられた第三者小売店サイトを認証するロジックと、前記第三者小売店サイトから、前記第三者小売店サイトと関連づけられた仮想ショッピングカートと関連したユーザＩＤを受け取るロジックと、ユーザアカウントと関連づけられた少なくとも１つのデジタルクーポンを特定するロジックと、前記少なくとも１つのデジタルクーポンを、前記第三者小売店サイトに送信するロジックと、前記仮想ショッピングカートと関連づけられた購入と関連した購入確認を受信するロジックとを備え、前記購入確認はさらに、前記購入に伴って前記第三者小売店サイトによって利用された前記少なくとも１つのデジタルクーポンの少なくとも１サブセットをさらに備える。
【発明の効果】
【０００５】
上記課題の何れかが緩和もしくは解決される。
【図面の簡単な説明】
【０００６】
【図１】本開示の様々な実施形態による、ネットワーク環境の図面である。
【図２】本開示の様々な実施形態による、ネットワーク環境からのクーポンクリアリングハウスアプリケーションの様々な構成要素の図面である。
【図３】本開示の様々な実施形態による、図１のネットワーク環境におけるクライアントによって表示されるユーザインターフェースの一例を示す図面である。
【図４】本開示の様々な実施形態による、図１のネットワーク環境におけるクライアントによって表示されたユーザインターフェースの一例を示す図面である。
【図５】本開示の様々な実施形態による、図１のネットワーク環境からの様々な構成要素間の例示的なデータフローの図面である。
【図６】本開示の様々な実施形態による、図１のネットワーク環境からの様々な構成要素間の例示的なデータフローの図面である。
【図７】本開示の様々な実施形態による、図１のネットワーク環境からの様々な構成要素間の例示的なデータフローの図面である。
【図８Ａ】本開示の様々な実施形態による、図１のネットワーク環境からの様々な構成要素間の例示的なデータフローの図面である。
【図８Ｂ】本開示の様々な実施形態による、図１のネットワーク環境からの様々な構成要素間の例示的なデータフローの図面である。
【図９】本開示の様々な実施形態による、図１のネットワーク環境におけるコンピューティングデバイスで実行されるクーポンクリアリングハウスアプリケーションの一部として実現される機能性の一例を示すフローチャートである。
【図１０】本開示の様々な実施形態による、図１のネットワーク環境におけるコンピューティングデバイスで実行されるクーポンクリアリングハウスアプリケーションの一部として実現される機能性の一例を示すフローチャートである。
【図１１】本開示の様々な実施形態による、図１のネットワーク環境におけるコンピューティングデバイスで実行されるクーポンクリアリングハウスアプリケーションの一部として実現される機能性の一例を示すフローチャートである。
【図１２】本開示の様々な実施形態による、図１のネットワーク環境におけるコンピューティングデバイスで実行されるクーポンクリアリングハウスアプリケーションの一部として実現される機能性の一例を示すフローチャートである。
【図１３】本開示の様々な実施形態による、図１のネットワーク環境で使用されるコンピューティングデバイスの一つの例示的な図を提供する模式的なブロック図である。
【発明を実施するための形態】
【０００７】
本出願の開示の多くの態様は、以下の図面を参照することにより、より良く理解することができる。図面の構成要素は、必ずしも一定の比率の縮尺ではなく、本開示の原理を明確に図示することに重点を置いている。さらに、図面において、同様の参照番号は、いくつかの図面全体を通して対応する部分を示す。
【０００８】
以下の説明において、システムとその構成要素についての一般的な記述が提供され、その後、それらの動作についての説明が続く。本開示の実施形態は、クーポン発行者（例えば、製品の製造者）によって発行され、デジタルクーポンシステムのユーザに配布され、第三者小売店サイトもしくは販売時点情報管理システムで利用されるデジタルクーポンを支援するシステムおよび方法に関する。本開示の実施形態はまた、第三者小売店サイトおよび／または販売時点情報管理システムでユーザのためにデジタルクーポンの償還を支援するデジタルクーポンシステムに関する。実施形態はまた、クーポン発行者によって発行されたデジタルクーポンを引き受け、クーポン発行者によって発行されたデジタルクーポンの償還と関連して払い戻された金額に対する請求書をクーポン発行者に送付する、第三者小売店サイトおよび／または販売時点情報管理システムの払い戻しを支援することに関する。実施形態はまた、第三者サイトにデジタルクーポンを掲載し、発行者のためにデジタルクーポンの配布を増やすこと、ならびに、ターゲット基準（ｔａｒｇｅｔｉｎｇ  ｃｒｉｔｅｒｉａ）を支援し、したがって、クーポン発行者が特定の人口統計的もしくは他の要件に合うユーザをターゲットにすることを可能にすることに関する。
【０００９】
図１を参照すると、図示されるのは、デジタルクーポンシステムを実現することができる、様々な実施形態によるネットワーク環境１００である。ネットワーク環境１００は、クーポン発行者システム１０５と通信する少なくとも１つのコンピューティングデバイス１０３、少なくとも１つのクライアントデバイス１０６、少なくとも１つの第三者小売店システム１１３、および／または少なくとも１つの販売時点情報管理システム１１５を含む。図１のネットワーク環境１００に示す様々な構成要素は、１つまたは複数のネットワーク１１７を介して通信することができ、そのようなネットワークは、例えば、インターネット、イントラネット、エクストラネット、広域ネットワーク（ＷＡＮ）、構内ネットワーク（ＬＡＮ）、有線ネットワーク、無線ネットワーク、もしくは他の適切なネットワーク等、またはそれらネットワークの２つ以上の任意の組合せを含むことができる。
【００１０】
コンピューティングデバイス１０３は、例えば、サーバコンピュータや、コンピューティング機能を提供する任意の他のシステムを備えることができる。あるいは、複数のコンピューティングデバイス１０３は、例えば、１つまたは複数のサーババンクやコンピュータバンク、または他の構成に配置して使用することができる。例えば、複数のコンピューティングデバイス１０３は共に、クラウドコンピューティング資源、グリッドコンピューティング資源、および／または任意の他の分散コンピューティング構成を成してもよい。そのようなコンピューティングデバイス１０３は、単一の設備内に設置してもよく、多くの異なる地理的位置に分散してもよい。便宜上、コンピューティングデバイス１０３は、本明細書では、単一のものとする。コンピューティングデバイスは単一のものとするが、上記のような様々な構成において、複数のコンピューティングデバイス１０３を使用することができることが理解されよう。
【００１１】
クーポン発行者システム１０５はまた、クーポン発行者が少なくとも１つのコンピューティングデバイス１０３と通信することができる１つまたは複数のコンピューティングデバイスを表すことができる。同じように、第三者小売店システム１１３および／または販売時点情報管理システム１１５は、本明細書に記載したデジタルクーポン機能を実現する少なくとも１つのコンピューティングデバイス１０３と通信する１つまたは複数のコンピューティングデバイスを表すことができる。第三者小売店システム１１３は、ユーザが製品を購入する、および／またはデジタルクーポンを利用することができる電子商取引システムを実現する第三者小売店サイトを実現することができる。同様に、販売時点情報管理システム１１５は、ユーザが製品を購入する、および／またはデジタルクーポンを利用することができる小売店によって運用される１つまたは複数の販売時点情報管理コンピューティングデバイスを表すことができる。
【００１２】
コンピューティングデバイス１０３は、例えば、クーポンクリアリングハウスアプリケーション１２１および他のアプリケーション等の様々なアプリケーションを実行するよう構成される。クーポンクリアリングハウスアプリケーション１２１は、本明細書に記載されるであろうように、デジタルクーポンの配布および償還を支援するよう実行される。クーポンクリアリングハウスアプリケーション１２１は、クーポン発行者によって資金提供されるデジタルクーポンに関連する様々な特性および／または制限を規定するクーポン仕様を、クーポン発行者システム１０５から受け取るすることができる。次に、クーポンクリアリングハウスアプリケーション１２１は、これらのデジタルクーポンをクーポンクリアリングハウスアプリケーション１２１のユーザが利用できるようにすることができる。ユーザは、クーポンを「切り抜きする」、すなわちデジタルクーポンをユーザアカウントと関連づけることができる。次いで、ユーザは、第三者小売店システム１１３、販売時点情報管理システム１１５、および／または他の小売販売店でデジタルクーポンを利用することができ、ここでクーポンクリアリングハウスアプリケーション１２１はユーザの認証、デジタルクーポンの検証、ならびにデジタルクーポンの使用制限（encumbrance）を支援する。本文脈では、デジタルクーポンの使用制限は、デジタルクーポンの期限切れ、またはデジタルクーポンを利用可能な使用回数が減らすことを意味し得る。クーポンクリアリングハウスアプリケーション１２１はまた、クーポンクリアリングハウスアプリケーション１２１によってユーザに発行されたデジタルクーポンが使用された、ユーザによってなされた購入と関連して、第三者小売店システム１１３、販売時点情報管理システム１１５、もしくは他の小売販売店から購入確認および／または決済要求を受け取るすることができる。
【００１３】
それに応じて、クーポンクリアリングハウスアプリケーション１２１は、デジタルクーポンによって指定された割引か他のプロモーションに対して、第三者小売店システム１１３、販売時点情報管理システム１１５、もしくは他の小売販売店、および／またはそれらの運用者に払い戻しを発行することができる。クーポンクリアリングハウスアプリケーション１２１はまた、デジタルクーポン償還、デジタルクーポンを切り抜いたユーザ、ユーザの購入履歴、ユーザのブラウジング履歴等に関する様々な統計および情報を含む、クーポン発行者のためのレポーティングメトリクス（ｒｅｐｏｒｔｉｎｇ  ｍｅｔｒｉｃｓ）を生成することができる。さらに、第三者小売店サイトおよび／また販売時点情報管理システムに支払われた払戻金に関して、クーポンクリアリングハウスアプリケーション１２１は、クーポン発行者に対する請求書を生成することができる。クーポンクリアリングハウスアプリケーション１２１の動作についてのさらなる詳細および変更は、本明細書に記載される。
【００１４】
コンピューティングデバイス１０３は、少なくとも１つのデータデータストア１２４を含むことができ、そこに格納されたデータへのアクセスをもたらすよう動作可能なデータおよびアプリケーションを備えることができる。データストア１２４は、コンピューティングデバイス１０３内に存在してもよく、存在しなくてもよいが、ネットワークを介してコンピューティングデバイス１０３がアクセスでき得ることを理解すべきである。データストア１２４は、クリアリングハウスアプリケーション１２１のユーザのユーザアカウントと関連づけられたユーザデータ１３１を格納するために使用することができる。ユーザデータ１３１は、例えば、ユーザプロフィールデータを含むことができ、ユーザについての人口統計的情報、発送先、電話番号、支払い情報、電子メールアドレス、購入履歴、製品閲覧履歴、デジタルクーポン使用履歴、デジタルクーポンク切り抜き履歴、ユーザが加入する類縁団体、およびユーザに関連した他の情報を含むことができる。ユーザデータ１３１はまた、ユーザが切り抜き、ユーザアカウントと現在関連づけられているデジタルクーポンに関するデータを含むことができる。ユーザデータ１３１はまた、マーケティングデータベースから等の、データストア１２４にインポートされたマーケティング情報を含むことができる。本明細書にさらに詳細に記載されるように、クーポンクリアリングハウスアプリケーション１２１はまた、クーポンクリアリングハウスアプリケーション１２１のユーザに関するデータを活用することによって、クーポン推薦および／または製品推薦を生成することができる。ユーザデータ１３１はまた、購入履歴、閲覧履歴、人口統計的情報、または他の情報に基づいて、キャンペーンが特定のユーザをターゲットとすることができるので、クーポン発行者によって作られたデジタルクーポンキャンペーンのターゲティングを支援する。デジタルクーポンキャンペーンはまた、特定の類縁団体および／またはメンバーシップクラブのメンバーをターゲットにすることができる。
【００１５】
データストア１２４はまた、発行者データ１３３を含むことができ、これはクーポン発行者１０５に関するデータを含む。発行者データ１３３は、クーポンクリアリングハウスアプリケーション１２１がアクセスできるクーポン発行者アカウントに関する様々なデータを含むことができる。例えば、発行者データ１３３は、限定されないが、クーポンキャンペーンに対する支払い、クーポン発行者と関連づけられた電子商取引システムを介して利用可能な製品、クーポン発行者によって発行され、クーポン発行者と関連づけられたデジタルクーポン、および理解できるような他のデータに関するデータ等の、クーポン発行者に関するプロフィールデータを含むことができる。
【００１６】
クーポンデータ１３５は、クーポン発行者によって指定された特定のデジタルクーポンに関するデータを含むことができる。上記のように、クーポン発行者は、クーポン発行者システム１０５を介して、クーポンクリアリングハウスアプリケーション１２１にクーポン仕様を送ることにより、クーポンクリアリングハウスアプリケーション１２１によって支援されるデジタルクーポンキャンペーンを作り出すことができる。クーポン仕様は、デジタルクーポンと関連づけられた製品ＩＤならびにターゲット基準等の、１つまたは複数のデジタルクーポンに関する様々な情報を含むことができる。デジタルクーポンと関連づけられたターゲット基準は、クーポンクリアリングハウスアプリケーション１２１によってデジタルクーポンを利用可能とするユーザに対する要件を規定することができる。クーポン仕様はまたデジタルクーポンと関連づけられたプロモーションを規定することができ、それはクーポン発行者が第三者小売店に払い戻しをしようとする割引金額、特定の製品と関連して提供された無料の、もしくは割引された製品、および理解できるような他のクーポンプロモーションを含むことができる。割引金額は、固定金額、および／または販売価格のパーセンテージを含むことができる。クーポン仕様はまた、デジタルクーポン有効期限および／またはキャンペーン予算を規定することができ、それはクーポン発行者がデジタルクーポンキャンペーンに関連して第三者小売店サイトおよび／または販売時点情報管理システム運用者に払い戻しをしようとする最大金額を記述する。
【００１７】
さらに、クーポン仕様は、デジタルクーポンの利用対象である第三者小売店を限定することを可能にする小売店制限を含む。このようにして、一実施形態において、クーポン発行者システム１０５を介してクーポンクリアリングハウスアプリケーション１２１と通信するクーポン発行者は、デジタルクーポンキャンペーンを、クーポン発行者によって販売される製品の認可販売店に限定することができる。他の実施形態において、クーポン発行者は、所望の購買層に販売した小売店にデジタルクーポンキャンペーンを限定することができる。他の変更を理解すべきであり、本明細書により詳細に説明される。
【００１８】
データストア１２４はまた、第三者小売店システム１１３、販売時点情報管理システム１１５、および／または他の小売販売店ならびにその運用者に関するデータを含む、小売店データ１３７を含むことができる。小売店データ１３７は、様々な小売店のユーザによる、クーポンクリアリングハウスアプリケーション１２１により発行されたデジタルクーポンの償還に関する情報を含むことができる。クーポンクリアリングハウスアプリケーション１２１は、第三者小売店システム１１３、販売時点情報管理システム１１５、または他のシステムを運用し、償還に関するデータを小売店データ１３７に格納し得る第三者小売店で、デジタルクーポンの償還を支援することができる。小売店データ１３７は、利用されたクーポンの量、小売店と関連づけられたアカウント残高、詐欺行為履歴に関するデータ、特定の小売店を介して利用可能な製品に関するデータ、および理解できるような他のデータを含むことができる。さらに、小売店データ１３７は、小売店と関連づけされ得る様々な販売時点情報管理システム１１５の識別情報を規定するＩＤを含むことができる。理解できるように、小売店は、クーポンクリアリングハウスアプリケーション１２１と相互通信することができる多数の販売時点情報管理システム１１５を運用することができる。ＩＤは、小売店データ１３７に格納され、販売時点情報管理システム１１５と関連づけられた第三者小売店を識別し、および販売時点情報管理システム１１５でクーポン償還についての情報を記録し、ならびにデジタルクーポン制限を課すことができる。
【００１９】
データストア１２４はまた、理解できるような、ユーザ、クーポン発行者、小売店、および、デジタルクーポンに関連した他のデータを含むことができるが、本開示の様々な実施形態の理解のために本明細書で説明する必要はない。さらに、データストア１２４は、別々の設備や位置に設置することができる別々のコンピューティングデバイスで実現することが可能であることが理解されるべきである。図示したデータストア１２４の表構造は、本開示の実施形態により、そこにどのようにデータを構築することができるかの一例である。しかしながら、データは、様々なコンピューティングデバイスで実現される複数のデータストア間で多くの異なる方法で構築することが可能であることが理解されるべきである。一例として、ユーザ、クーポン発行者、デジタルクーポン、第三者小売店、および他のデータに関連したデータは、完全に異なる表構造でデータストアに格納されたデータに対してクエリを実行することによりクーポンクリアリングハウスアプリケーション１２１によって抽出することができる。したがって、図示したデータストア１２４およびそこに示す表構造は、本開示の様々な実施形態の図示および説明を簡潔にするための一例に過ぎないことが理解されるべきである。
【００２０】
少なくとも１つのクライアント１０６は、記載されるように、ユーザによる、クーポンクリアリングハウスアプリケーション１２１との通信を支援する。クライアント１０６は、様々な種類のコンピュータシステムを備えることができ、そのようなコンピュータシステムには、例えば、デスクトップ、ラップトップ、または同様の機能を有する他のコンピュータシステムがある。この目的を達成するために、クライアント１０６はまた、携帯情報端末、携帯電話、または理解できるような同様の機能を有する他のポータブルデバイスを備えてもよい。クライアント１０６は、様々なアプリケーションを使用して、コンピューティングデバイス１０３とインターフェースすることができ、そのようなアプリケーションには、ブラウザアプリケーション、専用アプリケーション、または、理解できるような他のアプリケーション等がある。一実施形態において、様々なユーザインターフェースをクライアント１０６のディスプレイデバイス上に生成し、コンピューティングデバイス１０３で実現される様々なシステムや構成要素との相互通信を支援することができる。このようにして、ユーザは、クーポンクリアリングハウスアプリケーション１２１と相互通信して、クーポンクリアリングハウスアプリケーション１２１によって実現されるデジタルクーポンシステムで利用可能なデジタルクーポンを閲覧するおよび／または切り抜くことができる。
【００２１】
本明細書にさらに詳細に記載されるように、クーポンクリアリングハウスアプリケーション１２１は、ユーザがクライアント１０６で相互通信して、ユーザインターフェースで表示されるクーポンを切り抜くことができる１つまたは複数のクーポンユーザインターフェースを提供することができる。クーポンクリアリングハウスアプリケーション１２１は、様々なカテゴリーによりクーポンを表示し、ユーザプロフィールに基づいてクーポン推薦を生成することができ、クライアントのクーポンユーザインターフェースに表示することもできる。
【００２２】
一実施形態において、クライアント１０６ａは、ディスプレイデバイス１４１と通信するコンピューティングデバイスを備えることができる。クライアント１０６ａは、デジタルクーポンシステムの実施と関連してクーポンクリアリングハウスアプリケーション１２１によって生成される様々なユーザインターフェースを表示することができる。一実施形態において、クライアント１０６ａは、クーポンユーザインターフェースを備えるネットワークページ１２６を表示するよう構成されたブラウザアプリケーション１４３を実行することができる。他の実施形態において、モバイルデバイスがクライアント１０６ｂとして使用される場合では、クーポンユーザインターフェースは、クーポンクリアリングハウスアプリケーション１２１とアクセスして通信するよう適応されたモバイルアプリケーション１４５によってクライアントデバイス１０６ｂで表示することができる。
【００２３】
クーポン発行者システム１０５、第三者小売店システム１１３、および／または販売時点情報管理システム１１５はまた、対応するコンピューティングデバイスで実行されるブラウザに表示されるユーザインターフェースを介して、クーポンクリアリングハウスアプリケーション１２１と通信することができる。さらに、それらは、クーポンクリアリングハウスアプリケーション１２１によって提供されるアプリケーションプログラミングインターフェース（ＡＰＩ）を介して、クーポンクリアリングハウスアプリケーション１２１と通信してもよい。一例として、クーポンクリアリングハウスアプリケーション１２１は、第三者小売店システム１１３および／または販売時点情報管理システム１１５が通信することが可能なウェブサービスＡＰＩを提供し、仮想ショッピングカート内の商品の購入に伴うユーザによるデジタルクーポンの償還、およびそれに続いて、販売と関連してユーザに提供されるプロモーションの払い戻しを支援することができる。
【００２４】
したがって、デジタルクーポンシステム内の様々な構成要素との様々な相互通信を管理するために、クーポンクリアリングハウスアプリケーション１２１は、クーポン発行者システム１０５、クライアント１０６のユーザ、第三者小売店システム１１３、および／または販売時点情報管理システム１１５との通信を支援する様々なインターフェースを提供することができる。この目的を達成するために、クーポンクリアリングハウスアプリケーション１２１は、クーポン発行者インターフェース１５１、買い物客インターフェース１５３、第三者小売店サイトインターフェース１５５、および販売時点情報管理インターフェース１５７を実行することができる。これらインターフェースの動作は、図２に関する説明で始まるさらなる詳細で説明する
【００２５】
したがって、図１のネットワーク環境に示すコンピューティングデバイス１０３によって実行することが可能なクーポンクリアリングハウスアプリケーション１２１を示す図２をここで参照する。クーポンクリアリングハウスアプリケーション１２１の示した図および様々なインターフェースの記述は非限定的であり、クーポンクリアリングハウスアプリケーション１２１によって実現されるデジタルクーポンシステムと関連する様々な構成要素および／または行為主体との様々な相互通信の記述を簡単にするために提示されることが理解されるべきである。クーポン発行者インターフェース１５１は、クーポン発行者システム１０５と相互通信するためにクーポンクリアリングハウスアプリケーション１２１によって実行される。クーポン発行者システム１０５は、クーポンクリアリングハウスアプリケーション１２１によって実現されるデジタルクーポンシステムを介してデジタルクーポンキャンペーンを始めることができる。クーポン発行者システム１０５は、クーポン発行者インターフェース１５１によって生成されてクーポン発行者システム１０５で表示されるユーザインターフェースを介して、少なくとも１つのデジタルクーポンを規定するクーポン仕様を送信することができる。あるいは、クーポン発行者システム１０５は、少なくとも１つのデジタルクーポンを規定するクーポン仕様を備えるクーポン発行者インターフェース１５１にデータファイルを送信することができる。クーポン発行者インターフェース１５１は、データファイルを解析して、クーポン発行者システム１０５から受け取ったクーポン仕様で規定された１つまたは複数のデジタルクーポンのパラメータを決定することができる。他の実施形態において、クーポン発行者インターフェース１５１は、クーポン発行者が相互通信してクーポン仕様を規定することができる、ネットワークを通じてアクセス可能なネットワークページインターフェスおよび／またはアプリケーションプログラミングインターフェース（ＡＰＩ）を提供することができる。
【００２６】
クーポン発行者インターフェース１５１によってクーポン発行者から受信されたクーポン仕様は、１つまたは複数のデジタルクーポンに関する様々なパラメータおよび／または制限を規定することができる。クーポン仕様は、デジタルクーポンが適用される１つまたは複数の製品を規定することができる。製品は、１つまたは複数の製品ＩＤを特定することによって、クーポンＩＤにより規定することができる。製品ＩＤは、統一商品コード、モデルナンバー、シリアルナンバー、在庫管理単位（ＳＫＵ）、または製品もしくは製品のカテゴリーを一意に識別することが可能な任意の他のＩＤを含むことができる。クーポン仕様は、クーポン仕様によって規定されたデジタルクーポンが、クーポン仕様に複数の製品を規定すること、および、デジタルクーポンが適用できるようになるため、ユーザによる購入には仕様で識別される複数の商品が購入される必要があることを指示することによって、ひとまとまりの製品に適用可能であることを規定することができる。クーポン仕様はまた、クーポン発行者ＩＤまたは追跡ナンバーを含むことができ、これらは、クーポン発行者が償還率、切り抜き率、ならびに他のメトリクス等のメトリクスを追跡するために使用することができる。この目的を達成するために、クーポン発行者インターフェース１５１は、クーポンクリアリングハウスアプリケーション１２１からクーポン発行者システム１０５に送信されたクーポンメトリックレポートおよび／または請求書と関連して、そのようなＩＤまたは追跡ナンバーを提供することができる。
【００２７】
クーポン発行者インターフェース１５１によって受け取られたクーポン仕様は、クーポンの額面価格、またはクーポン仕様によって特定される１つまたは複数の製品、もしくは製品のカテゴリーに適用可能なプロモーションを規定することができる。プロモーションは、１つまたは複数の製品ＩＤによって特定される製品の割引可能な金額（例えば、金額、販売価格のパーセンテージ、製造者が提案した小売価格のパーセンテージ等）を含むことができる。さらに、プロモーションは、デジタルクーポンの償還と関連して消費者に提供することができる１つまたは複数の無料もしくは割引製品を規定することができる。言い換えると、プロモーションは、クーポン仕様によって規定されたデジタルクーポンの償還と関連して、第三者小売店にクーポン発行者が払い戻しをしようとする金額を規定することができる。クーポン仕様はまた、クーポンクリアリングハウスアプリケーション１２１の運用者に、デジタルクーポンを閲覧および／または切り抜く各ユーザに対して、クーポン発行者が補償を行おうとする金額を規定することができる。
【００２８】
さらに、クーポン仕様は、クーポン仕様によって規定された１つまたは複数のデジタルクーポンと関連づけられたキャンペーン予算および／または有効期限を規定することができる。キャンペーン予算は、デジタルクーポンの償還と関連してクーポン発行者が小売店に払い戻しをしようとする総額を規定することができる。クーポン仕様はまた、デジタルクーポンを使用することが可能な１つまたは複数の小売店を規定することができる。このようにして、クーポン発行者は、選択した数の第三者小売店システム１１３、販売時点情報管理システム１１５、または他の小売販売店にデジタルクーポンの償還を制限することができる。
【００２９】
クーポン発行者インターフェース１５１を通じてクーポン発行者システム１０５からクーポンクリアリングハウス１２１に送信されたクーポン仕様はまた、デジタルクーポンに対するターゲット基準を規定することができる。ターゲット基準は、クーポン仕様によって指定されたデジタルクーポンを閲覧および／または切り抜く対象となる、クーポンクリアリングハウスアプリケーション１２１のユーザに関するパラメータを規定することができる。ターゲット基準は、一例において、特定の製品もしくは製品のカテゴリーを購入および／または閲覧したユーザによって、特定のデジタルクーポンが閲覧のみ可能であると規定することができる。他の例において、ターゲット基準は、ある購買層、例えば、これらに限定されないが、年齢、性別、収入レベル、所在地等に合致するユーザによって切り抜かれる場合のみ利用可能であると規定することができる。このようにして、デジタルクーポンと関連づけられたクーポン発行者は、デジタルクーポンをターゲットとするために使用することが可能なユーザアカウントのユーザについての様々な情報をクーポンクリアリングハウスアプリケーション１２１が維持するので、あるユーザを正確にターゲットとすることが可能となる。
【００３０】
クーポンクリアリングハウスアプリケーション１２１によって実行される買い物客インターフェース１５３は、クーポンクリアリングハウスアプリケーション１２１にアクセス可能なユーザアカウントと関連づけられたユーザとの相互通信を支援することができる。買い物客インターフェース１５３は、クーポン発行者からのデジタルクーポンキャンペーンにより開始され、クーポンクリアリングハウスアプリケーション１２１を介して利用可能であるデジタルクーポンをユーザが閲覧および／または切り抜くことが可能なクーポンユーザインターフェースを生成することができる。あるいは、買い物客インターフェース１５３は、ユーザがデジタルクーポンを閲覧および／または切り抜くことを可能にするよう適応されたモバイルアプリケーション１４５等のアプリケーションにデータを送信することができる。いくつかの実施形態において、クライアントデバイス１０６ａ／１０６ｂはクライアント側コードを実行し、買い物客インターフェース１５３によって提供されたデジタルクーポンに関するデータに少なくとも基づくユーザインターフェースを表示してもよい。
【００３１】
したがって、買い物客インターフェース１５３は、ユーザアカウントと関連づけられたユーザの資格情報を認証することができる。いくつかの実施形態において、買い物客インターフェース１５３は、ユーザアカウントおよびユーザが買い物客インターフェース１５３と相互通信しているクライアントデバイス１０６と関連づけられたセッションを確立することができる。買い物客インターフェース１５３は、ユーザアカウントと関連づけられたユーザＩＤを確立するブラウザアプリケーション１４３および／またはモバイルアプリケーション１４５に格納することが可能なブラウザクッキー等のセッションＩＤを送信することができる。このようにして、ユーザは、第三者小売店サイト１１３をブラウズすることができ、そこに格納されたそのようなセッションＩＤおよび／またはユーザＩＤにアクセスして、クーポンクリアリングハウスアプリケーション１２１によって実現されるデジタルクーポンシステム内のユーザの識別情報を確立し、ユーザと関連づけられたデジタルクーポンに関するクーポンクリアリングハウスアプリケーション１２１からの情報を要求することができる。いくつかの実施形態において、買い物客インターフェース１５３はまた、そのようなセッションＩＤ内の識別情報を難読化および／または暗号化して、ユーザのプライバシーを保護することができる。第三者小売店システム１１３によるデジタルクーポンシステム内のユーザ識別情報の認証に関する相互通信は、第三者小売店サイトインターフェース１５５に関する説明を参照して、さらに詳細に記載される。
【００３２】
買い物客インターフェース１５３は、ユーザアカウントと関連づけられたユーザプロフィールデータに少なくとも基づいて、クーポンおよび／または製品推薦を提供することができる。クーポンクリアリングハウスアプリケーション１２１は、クーポン切り抜き履歴データ、人口統計的情報、購入履歴、およびユーザに関する他のマーケティングデータを含むことができるユーザデータ１３１を維持することができる。したがって、買い物客インターフェース１５３は、クーポンクリアリングハウスアプリケーション１２１がアクセス可能な様々なプロフィールデータに基づいて、推薦する製品および／またはデジタルクーポンを特定することができる。
【００３３】
買い物客インターフェース１５３はまた、ユーザアカウントと関連づけられたデジタルクーポンを、ユーザと関連づけられたモバイルデバイスに送信することができる。このようにして、ユーザはクーポンクリアリングハウスアプリケーション１２１を介して利用可能なデジタルクーポンを切り抜くことができ、第三者小売店システム１１３、販売時点情報管理システム１１５、または他の小売販売店で償還するためにモバイルデバイスにそれらデジタルクーポンをロードすることができる。一実施形態において、買い物客インターフェース１５３は、クライアントデバイス１０６ｂで実行されるモバイルアプリケーション１４５にデジタルクーポンの表示を送信することができ、クライアントデバイス１０６ｂは、デジタルクーポンを識別するディスプレイデバイス１４１にバーコードを表示することができる。販売時点情報管理システム１１５と通信するバーコードスキャナは、デジタルクーポンを規定するクーポン仕様によって特定された製品の購入と関連して、ユーザによるクーポンの償還のために、そのようなバーコードをスキャンすることができる。次いで、販売時点情報管理システム１１５は、クーポンクリアリングハウスアプリケーション１２１と通信し、償還時にデジタルクーポンを検証し、その後、そのデジタルクーポンを使用不可にすることができる。販売時点情報管理システム１１５とクーポンクリアリングハウスアプリケーション１２１との間の相互通信は、販売時点情報管理インターフェース１５７の説明を参照して、より詳細に説明される。
【００３４】
第三者小売店サイトインターフェース１５５は、第三者小売店システム１１３との相互通信を支援するよう実行することができる。第三者小売店サイトインターフェース１５５は、第三者小売店システム１１３が相互通信して、ユーザおよびそのユーザに関連づけられたデジタルクーポンを識別し、ならびにデジタルクーポンの償還と払い戻し要求に関するデータを提供することを可能にするアプリケーションプログラミングインターフェース（ＡＰＩ）または他の適切なインターフェースを提供することができる。一実施形態において、第三者小売店サイトインターフェース１５５は、ウェブサービスＡＰＩを提供することができ、したがって、第三者小売店システム１１３は、デジタルクーポンシステムと第三者小売店システム１１３との間の様々な相互通信に関するテキストベースのデータもしくは他のデータを送信および／または受信することができる。
【００３５】
第三者小売店システム１１３と関連づけられたクーポンクリアリングハウスアプリケーション１２１にアクセス可能なアカウントは、第三者小売店サイトインターフェース１５５によって認証することができる。いくつかの実施形態において、第三者小売店システム１１３は、ユーザが買い物客インターフェース１５３を介してユーザアカウントを認証すると、買い物客インターフェース１５３によって確立されたセッションＩＤ（例えば、ブラウザクッキー）にアクセスすることができる。ユーザが、第三者小売店システム１１３における仮想ショッピングカートを介して１つまたは複数の製品を購入しようとすると、第三者小売店システム１１３は、セッションＩＤと関連づけられたユーザＩＤを第三者小売店サイトインターフェース１５５に送信することができ、第三者小売店サイトインターフェース１５５はユーザ識別情報を検証し、ユーザアカウントと関連づけられた１つまたは複数のデジタルクーポンを第三者小売店システム１１３に提供することができる。さらに、第三者小売店システム１１３は、ユーザの仮想ショッピングカートと関連づけられた１つまたは複数の製品ＩＤならびにカート内の製品の数量を送信することができる。それに応じて、第三者小売店サイトインターフェース１５５は、製品ＩＤおよび製品ＩＤと関連づけられたプロモーションを送信することができ、したがって、第三者小売店システム１１３は、ユーザの仮想ショッピングカートと関連づけられた対象となる製品に適用可能な１つまたは複数のデジタルクーポンと関連づけられたプロモーションを適用することができる。
【００３６】
いくつかの実施形態において、第三者小売店システム１１３は、第三者小売店サイトインターフェース１５５に送信されたユーザＩＤおよび／またはセッションＩＤを暗号化することができ、第三者小売店サイトインターフェース１５５は、ＩＤを復号化してユーザを認証し、デジタルクーポンに関する情報を提供することができる。いくつかの実施形態において、第三者小売店システム１１３は、ユーザＩＤに加えて、ユーザに関する追加データを提供することができ、したがって、ユーザ識別情報を検証することができる。一例として、第三者小売店システム１１３は、電子メールアドレス、名前、発送先、電話番号、または他の識別データを提供することができ、したがって、例えば、ユーザのセッションと関連づけられたブラウザクッキーが公共のコンピュータ上で確立されると、デジタルクーポンが他のユーザによって使用不可にされないようになる。この場合において、第三者小売店システム１１３は、この追加識別情報を暗号化することができ、第三者小売店サイトインターフェース１５５によって復号化することができる。
【００３７】
他の例において、第三者小売店システム１１３は、この追加識別情報をハッシュすることができ、ハッシュされた値および／またはハッシュ署名を第三者小売店サイトインターフェース１５５に提供することができる。次いで、第三者小売店サイトインターフェース１５５は、ユーザの識別情報に対応するハッシュされた値および／またはハッシュ署名が、クーポンクリアリングハウスアプリケーション１２１にアクセス可能なデータストア１２４におけるユーザについて格納した情報に対応するハッシュされた値および／またはハッシュ署名と整合するかどうかを判断することができる。
【００３８】
第三者小売店サイトインターフェース１５５から適用可能なデジタルクーポンに関する情報を受け取ると、第三者小売店システム１１３は、第三者小売店サイトインターフェース１５５によって受け取ることができる購入確認を生成することができる。購入確認は、適用されたデジタルクーポン、および／または購入と関連してユーザに提供されたプロモーションを規定することができる。特定のユーザ、ならびに購入に適用された１つまたは複数のデジタルクーポンと関連づけられた購入確認を受け取ると、クーポンクリアリングハウスアプリケーション１２１は、ユーザのアカウントと関連づけられたデジタルクーポンを使用不可にすることができる。購入確認はまた、購入と関連づけられた発送確認および／または発送追跡データを提供することができ、したがって、第三者小売店サイトインターフェース１５５は、製品の発送を検証することができる。一例において、第三者小売店サイトの払い戻しは、第三者小売店サイトインターフェース１５５が、第三者小売店システム１１３から購入確認を受け取ると、開始することができる。他の実施形態において、第三者小売店システム１１３は、購入確認と関連して決済要求または払い戻し要求を、第三者小売店サイトインターフェース１５５に送信することができ、第三者小売店サイトインターフェース１５５は、第三者小売店１１３がユーザによるデジタルクーポンの償還と関連して払い戻しするべき金額の概要を示す。それに応じて、第三者小売店サイトインターフェース１５５は、第三者小売店システム１１３を運用する第三者小売店サイトに電子決済を開始することができ、対応する電子確認を送信することができる。購入確認および／または払い戻し要求は、購入毎に、または一括で第三者小売店システム１１３と第三者小売店サイトインターフェース１５５との間で交換することができ、それにより、第三者小売店システム１１３は、デジタルクーポンが適用された複数の購入と関連づけられた複数の確認および／または総払い戻し要求を送信する。
【００３９】
さらに、クーポンクリアリングハウスアプリケーション１２１によって処理されたトランザクションが、処理された後にキャンセルされると、クーポンクリアリングハウスアプリケーション１２１は、第三者小売店システム１１３および／または販売時点情報管理システム１１５から、注文キャンセル通知を受け取ることができる。それに応じて、クーポンクリアリングハウスアプリケーション１２１は、ユーザと関連づけられたデジタルクーポンの使用不可を取り消すことができ、したがって、再び使用することができるようになる。さらに、クーポンクリアリングハウスアプリケーション１２１は、トランザクションと関連して、第三者小売店に最初に支払われたクーポン金額の、第三者小売店からの払い戻しを支援することができる。
【００４０】
第三者小売店サイトインターフェース１５５はまた、クーポン仕様においてクーポン発行者によって指定された最小の宣伝価格設定規則を実施することができる。それに応じて、第三者小売店サイトインターフェース１５５は、第三者小売店システム１１３における製品と関連づけられた宣伝販売価格を受け取ることができる。デジタルクーポンと関連づけられたクーポン仕様によって指定された最小宣伝価格設定規則に販売価格が違反する場合、第三者小売店サイトインターフェース１５５は、デジタルクーポンの償還を拒否するメッセージを第三者小売店システム１１３に送信することができる。
【００４１】
第三者小売店サイトインターフェース１５５はまた、第三者小売店システム１１３がユーザのためにクーポンを利用した製品と関連づけられた在庫監査レポートを受け取ることができる。このようにして、第三者小売店サイトインターフェース１５５は、詐欺行為検出の一形態を実行することができる。いくつかの実施形態において、在庫監査レポートは、第三者小売店サイトと関連づけられた１つまたは複数の第三者小売店システム１１３によって、ある期間にわたって第三者小売店サイトインターフェース１５５に発信された、払い戻し要求をカバーする在庫に対して、第三者小売店サイトが支払をしたという証拠を含むことができる。
【００４２】
他の実施形態において、第三者小売店サイトインターフェース１５５は、ユーザアカウントと関連づけられ、さらに、第三者小売店システム１１３の仮想ショッピングカート内に無い可能性のある製品と関連づけられたデジタルクーポンに関するデータを送信することができる。このようにして、第三者小売店システム１１３は、ユーザアカウントと関連づけられたデジタルクーポンに関連する、第三者小売店システム１１３を介して利用可能な製品に対する追加の製品推薦を提供することができ、しかも、それらの製品はユーザの仮想ショッピングカート内に無くてもよい。さらに、第三者小売店サイトインターフェース１５５は、ユーザアカウントと現在関連づけられておらず、さらに第三者小売店システム１１３を介して利用可能な製品に対応する、クーポンクリアリングハウスアプリケーション１２１によって実現されるデジタルクーポンシステムを介して利用可能なデジタルクーポンに関する情報を送信することができ、したがって、第三者小売店システム１１３は、これら製品および／またはデジタルクーポンを推薦することができる。
【００４３】
販売時点情報管理システムインターフェース１５７は、クーポンクリアリングハウスアプリケーション１２１によって実行され、クーポンクリアリングハウスアプリケーション１２１によって実現されるデジタルクーポンシステムと通信する販売時点情報管理システム１１５におけるデジタルクーポンの償還を支援することができる。上記のように、一実施形態において、ユーザアカウントと関連づけられたデジタルクーポンは、モバイルアプリケーション１４５に送信することができ、モバイルアプリケーション１４５は、バーコードを表示する、またはデジタルクーポンと関連づけられた他のＩＤを提供することができる。いくつかの実施形態において、モバイルデバイスは、無線ネットワークプロトコルを介して販売時点情報管理システム１１５と無線で通信することができ、さらに、販売時点情報管理システムとハンドシェイクを実行してデータを交換することができる。他の実施形態において、販売時点情報管理システム１１５およびモバイルデバイスは、インターネット等のネットワークと通信することができる。デジタルクーポンの表示は、デジタルクーポン、および／またはデジタルクーポンが関連づけられたユーザアカウントを一意に識別するように、買い物客インターフェース１５３によって生成することができる。販売時点情報管理システム１１５は、バーコード、またはデジタルクーポンと関連づけられた他のＩＤを受け取ることができ、ＩＤを販売時点情報管理システムインターフェース１５７に送信して、販売時点情報管理システムによって利用される、もしくは引き受けられるべきであるかどうかを検証することができる。
【００４４】
販売時点情報管理システムインターフェース１５７は、販売時点情報管理システム１１５での購入と関連づけられたデジタルクーポンならびに製品を識別するＩＤを受け取ることにより、モバイルデバイスを介してユーザによって提示されたデジタルクーポンを検証することができる。次いで、販売時点情報管理インターフェース１５７は、購入と関連づけられた製品がプロモーション対象であるかどうか、クーポン仕様により指定されたキャンペーン予算ならびに／もしくは有効期限に対してデジタルクーポンが適正であるかどうか、および／またはクーポン仕様により指定された様々な使用法を超過して使用されることに対してデジタルクーポンが適正であるかどうかを判断することによって、デジタルクーポンと関連づけられたプロモーションが、購入と関連してユーザに提供されるべきかどうかを判断することができる。このようにして販売時点情報管理システム１１５からデジタルクーポンを検証すると、販売時点情報管理システムインターフェース１５７は、上記のように、ユーザアカウントと関連づけられたデジタルクーポンを使用不可にすることができる。
【００４５】
他の実施形態において、販売時点情報管理システム１１５は、ユーザと関連づけられたユーザＩＤを受け取ることができ、ユーザＩＤを販売時点情報管理インターフェース１５７に送信することができ、販売時点情報管理インターフェース１５７は、ユーザアカウントと関連づけられた１つまたは複数のデジタルクーポン、および／または販売時点情報管理システム１１５でのユーザによる購入と関連して１つまたは複数の製品に適用可能なデジタルクーポンを送信することができる。それに応じて、そのような場合において、ユーザと関連づけられたモバイルデバイスまたは他のクライアント１０６は、ハンドシェイクを実行して、ユーザＩＤを販売時点情報管理システム１１５に提供することができる。
【００４６】
いくつかの実施形態において、販売時点情報管理インターフェース１５７はまた、販売時点情報管理システム１１５に、および／または販売時点情報管理システム１１５と通信するデータストアにキャッシュすることが可能な複数のデジタルクーポンを提供することができ、それにより販売時点情報管理システム１１５および／または、との間で相互通信が、販売時点情報管理システム１１５でなされた各購入と関連して行われる必要がない。
【００４７】
様々なインターフェースとクーポンクリアリングハウスアプリケーション１２１との間の、上記の相互通信に加え、クーポンクリアリングハウスアプリケーション１２１はまた、クーポンデータ１３５からデジタルクーポンを同時配布でき、したがって、デジタルクーポンが、関連サイトに掲載することが可能となる。そのような同時配布は、デジタルクーポンの配布を増やし、クーポンの切り抜きおよび／または償還を促進することができる。したがって、クーポンクリアリングハウスアプリケーション１２１は、関連サイトが受け取り掲載することができるデジタルクーポンと関連づけられた配信フィード（ｐｕｂｌｉｓｈｉｎｇ  ｆｅｅｄ）を生成することができる。いくつかの実施形態において、配信フィードは、関連サイトのコンテンツに対する関連性、ならびにユーザが関連サイトを閲覧しているクライアントで検出され得るロケーションベースデータに対する関連性を考慮することができる。このようにして、クーポンクリアリングハウスアプリケーション１２１によって同時配布されたデジタルクーポンの関連性を増すことにより、クーポンクリアリングハウスアプリケーション１２１は、さらに、同時配布されたクーポンの切り抜きおよび／または償還を促進することができる。
【００４８】
次に図３を参照すると、図示されるのは、買い物客インターフェース１５３によって生成することが可能なネットワークページ１２６ａである。図示したネットワークページ１２６ａは、買い物客インターフェース１５３によって生成され、クライアントデバイス１０６ａのブラウザアプリケーション１４３に表示されたクーポンユーザインターフェースを含む。クーポンユーザインターフェースはまた、モバイルアプリケーション１４５、または本開示の様々な実施形態によるクーポンクリアリングハウスアプリケーション１２１にアクセスするよう適応された任意のアプリケーションに表示することができることが理解されるべきである。
【００４９】
図示したクーポンユーザインターフェースは、切り抜くために、および／またはユーザアカウントと関連づけるために、ユーザに表示することができるデジタルクーポンの一例を示す。さらに、買い物客インターフェース１５３は、製品カテゴリーにより、ユーザがクーポンを閲覧する、および／または切り抜くことができるクーポンユーザインターフェースを生成することができる。いくつかの実施形態において、図示したネットワークページ１２６ａ内のように、買い物客インターフェース１５３は、特定のクーポン発行者と関連づけられたデジタルクーポンを表示することができる。
【００５０】
代替クーポンユーザインターフェースを示す図４をここで参照する。図示したネットワークページ１２６ｂは、買い物客インターフェース１５３によって生成されたクーポン推薦を表示することができるクーポンユーザインターフェースを示す。上記のように、クーポン推薦は、購入履歴、クーポン切り抜き履歴、および、ユーザアカウントと関連づけることができる他のデータに基づくことができる。
【００５１】
クライアントデバイス１０６ａ／１０６ｂと買い物客インターフェース１５３との間のデータの流れを示す図５をここで参照する。図５は、ユーザを認証することができる一つの方法を示し、セッションＩＤがクライアントデバイス１０６ａ／１０６ｂに格納され、したがって、第三者小売店サイト１１３はそのＩＤでアクセスして、ユーザアカウントと関連づけられたデジタルクーポンを読み出すことができる。示した図において、クライアント１０６は、ログイン資格情報を買い物客インターフェース１５３に発信することができ、買い物客インターフェース１５３は、クーポンクリアリングハウスアプリケーション１２１がアクセス可能なユーザデータ１３１におけるログイン資格情報を検証することができる。それに応じて、セッションＩＤ（例えば、認証クッキー５０１）を生成することができ、ブラウザアプリケーション１４３またはクライアントで実行する他のアプリケーションがアクセス可能に格納することができる。
【００５２】
図５の例に続き、買い物客インターフェース１５３によって生成された認証クッキー５０１が格納されたクライアントの第三者小売店システム１１３にユーザがアクセスすることを示す図６をここで参照する。クライアントデバイス１０６で実行されるブラウザアプリケーション１４３は、認証クッキー５０１を第三者小売店サイトに提供することができ、第三者小売店サイトは、ユーザの識別のために第三者小売店サイトインターフェース１５５に提供することができるユーザＩＤ６０３を生成することができる。上記のように、第三者小売店システム１１３によって生成されたユーザＩＤ６０３は、認証クッキー５０１からのデータを含むことができ、さらにユーザアカウント、および／または第三者小売店システム１１３内の仮想ショッピングカートと関連づけられた他の識別情報が補充される。ユーザＩＤ６０３はまた、ユーザのプライバシーを保護するために暗号化、またはハッシュすることができる。ユーザＩＤ６０３はまた、第三者小売店システム１１３内の仮想ショッピングカートと関連づけられた製品ＩＤを含むことができ、またはその製品ＩＤと共に送信することができ、したがって、クーポンクリアリングハウスアプリケーション１２１は、適用可能なデジタルクーポンを識別することができる。
【００５３】
それに応じて、ユーザＩＤ６０３は、第三者小売店サイトインターフェース１５５によって受け取ることができ、そのＩＤと関連づけられたユーザアカウントは、クーポンクリアリングハウスアプリケーション１２１で識別される。クーポンクリアリングハウスアプリケーション１２１は、第三者小売店サイトインターフェース１５５を介して、第三者小売店システム１１３を介して償還するためにユーザアカウントおよび／または仮想ショッピングカート内の製品と関連づけられた少なくとも１つのデジタルクーポンを送信することができる。
【００５４】
図６の例に続く、図７をここで参照する。第三者小売店システム１１３における購入完了時に、第三者小売店システム１１３は、第三者小売店サイトインターフェース１５５に、上記のように決済要求７０１および／または購入確認を送信することができる。さらに、いくつかの実施形態において、クーポンクリアリングハウスアプリケーション１２１および／または買い物客インターフェース１５３は、ユーザがデジタルクーポンと関連づけられた特定のプロモーションを受信したことを確実にするための詐欺行為防止手段ならびに検証手段として、プロモーション確認をユーザ、および／またはユーザと関連づけられたクライアントデバイス１０６に送信することができる。このようにして、第三者小売店システム１１３により利用されたデジタルクーポンにより指定されたプロモーションが購入に適用されたかどうかを、ユーザは検証することができる。
【００５５】
次に図８Ａを参照すると、図示されるのは、販売時点情報管理システム１１５とクーポンクリアリングハウスアプリケーション１２１との間の、一実施形態における、データの流れを示す代替例である。示した例において、クライアント１０６のユーザは、モバイルアプリケーション１４５を使用して、販売時点情報管理システムと相互通信することができる。上記のように、モバイルアプリケーション１１５は、販売時点情報管理システム１１５とハンドシェイクを実行することができ、クーポンクリアリングハウスアプリケーション１２１との認証のための資格情報８０１を提供することができる。販売時点情報管理システム１１５は、ユーザＩＤ６０３を生成することができ、ユーザＩＤ６０３は、資格情報８０１と、ならびに場合によっては、クーポンクリアリングハウスアプリケーション１２１にユーザを認証するために使用することが可能な他の情報とを含むことができ、クーポンクリアリングハウスアプリケーション１２１は、ユーザアカウントを識別し、ユーザのユーザアカウントと関連づけられたデジタルクーポン６０５を読み出す。ユーザアカウント、および／または販売時点情報管理システム１１５における購入と関連づけられた製品と関連づけられたデジタルクーポン６０５は、販売時点情報管理システム１１５に送信することができ、販売時点情報管理システム１１５は、デジタルクーポンによって定義されたプロモーションを適用することができる。
【００５６】
図８Ｂは、販売時点情報管理システム１１５との相互通信の代替例を示す。示した例において、モバイルアプリケーション１４５は、資格情報８０１を、クーポンクリアリングハウスアプリケーション１２１および／または買い物客インターフェース１５３に直接提供する。それに応じて、クーポンクリアリングハウスアプリケーション１２１は、デジタルクーポンを、モバイルアプリケーション１４５に直接送信することができる。一実施形態において、モバイルアプリケーション１４５は、ＵＰＣ、製品画像、または製品についての他の情報を取得するよう構成することができ、クーポンクリアリングハウスアプリケーション１２１は、それと関連づけられた製品を特定し、デジタルクーポンをユーザアカウントに割り当て、いかなる適用可能なデジタルクーポン６０５をもモバイルアプリケーション１４５に送信することができる。
【００５７】
次いで、モバイルアプリケーション１４５は、デジタルクーポンを販売時点情報管理システム１１５に提供することができ、販売時点情報管理システム１１５は、クーポンによって指定されたプロモーションを適用することができ、販売時点情報管理インターフェース１５７に送信することが可能な決済要求８０７を生成することができる。いくつかの実施形態において、販売時点情報管理システム１１５は、検証要求を販売時点情報管理インターフェース１５７に送信することができ、販売時点情報管理インターフェース１５７は、モバイルアプリケーション１４５によって販売時点情報管理システム１１５に提供された任意のデジタルクーポン６０５を検証することができる。それに応じて、販売時点情報管理インターフェース１５７は、デジタルクーポンが適正であるかどうかを決定し、検証応答を販売時点情報管理システム１１５に発行することができる。デジタルクーポン６０５が適正であると決定されると、次いで、販売時点情報管理システム１１５は、デジタルクーポン６０５によって指定されたプロモーションを販売時点情報管理システム１１５での購入に対し適用することができる。
【００５８】
次に図９から図１２を参照すると、示されるのは、様々な実施形態による、クーポン発行者インターフェース１５１、買い物客インターフェース１５３、および第三者小売店サイトインターフェース１５５の動作の例を提供する様々なフローチャートである。図９から図１２のフローチャートは、本明細書に記載されるような、クーポンクリアリングハウスアプリケーション１２１の一部の動作を実現するよう使用することができ得る、多くの異なる種類の機能的構成の単なる例を提供することが理解されよう。代替として、図９から図１２のフローチャートは、１つまたは複数の実施形態によるコンピューティングデバイス１０３（図１）で実現される方法のステップの一例を示すものとして見てもよい。
【００５９】
図９を参照すると、クーポン発行者インターフェース１５１の動作の一例を示し、ボックス９０１で始まり、クーポン仕様がクーポン発行者から受け取られ、そのクーポン仕様は少なくとも１つのデジタルクーポンを規定する。ボックス９０３では、デジタルクーポンが、クーポンクリアリングハウスアプリケーション１２１によって生成される。ボックス９０５では、デジタルクーポンは、クーポン仕様で指定されたターゲット基準に基づいて、クーポンクリアリングハウスアプリケーション１２１により実現されるデジタルクーポンシステムのユーザに利用可能となる。
【００６０】
ボックス９０７では、クーポンクリアリングハウスアプリケーション１２１は、第三者小売店サイトでデジタルクーポンの償還を支援することができ、ボックス９０９および９１１では、クーポン発行者インターフェース１５１は、クーポンの配布、切り抜き、ならびに使用に関するメトリクスを生成することができ、ならびにクーポンクリアリングハウスアプリケーション１２１によって実現されたデジタルクーポンシステムにより、デジタルクーポン償還と関連して第三者小売店サイト１１３に支払われた払い戻しに対して、クーポン発行者に請求書を送付することができる。
【００６１】
クーポンクリアリングハウスアプリケーション１２１によって実行される買い物客インターフェース１５３の動作の一例を示す図１０をここで参照する。ボックス１００１で始まり、買い物客インターフェース１５３は、買い物客インターフェース１５３にアクセス可能なユーザアカウントと関連づけられたユーザを認証する。ボックス１００３では、買い物客インターフェース１５３は、ユーザが、クーポンクリアリングハウスアプリケーション１２１を介して利用可能なデジタルクーポンを閲覧および／または切り抜くことができるクーポンユーザインターフェースを生成する。ボックス１００５では、買い物客インターフェースは、ユーザによって切り抜かれたデジタルクーポンを、ユーザと関連づけられたユーザアカウントに割り当てる。ボックス１００７では、買い物客インターフェースは、購入と関連づけられた１つまたは複数のデジタルクーポンを、第三者小売店システム１１３、販売時点情報管理システム１１５、および／または他の小売販売店に送信する。ボックス１００９では、買い物客インターフェースは、ユーザに対して購入と関連づけられたプロモーション確認を生成することができる。
【００６２】
クーポンクリアリングハウスアプリケーション１２１によって実行される第三者小売店サイトインターフェース１５５の動作の一例を示す図１１をここで参照する。ボックス１１０１で始まり、第三者小売店サイトインターフェース１５５は、クーポンクリアリングハウスアプリケーション１２１によって実現されるデジタルクーポンシステムにおいて第三者小売店サイトアカウントと関連づけられた第三者小売店システム１１３を認証する。ボックス１１０３では、第三者小売店サイトインターフェース１５５は、第三者小売店システム１１３におけるユーザの仮想ショッピングカートと関連づけられた第三者小売店システム１１３からユーザＩＤを受け取る。
【００６３】
ボックス１１０５では、第三者小売店サイトインターフェース１５５は、ユーザＩＤと関連づけられたユーザ識別情報と関連した１つまたは複数のデジタルクーポンを特定し、ボックス１１０７で、デジタルクーポンに関するデータを第三者小売店システム１１３に送信する。ボックス１１０９では、第三者小売店サイトインターフェース１５５は、デジタルクーポンが利用された購入と関連して、第三者小売店システム１１３から決済要求を受け取ることができる。決済要求は、購入と関連してユーザによって利用されたデジタルクーポンの金額と数量についての情報を含むことができる。決済要求はまた、第三者小売店サイトによって生成された発送確認を含むことができる。それに応じて、決済要求が第三者小売店サイトインターフェース１５５によって受け取られると、クーポンクリアリングハウスアプリケーション１２１は、購入と関連して利用されたデジタルクーポンを使用不可にすることができ、したがって、ユーザは、対応するクーポン仕様によって指定されるより多くデジタルクーポンを使用することができない。さらに、デジタルクーポンと関連して発行され、および／または処理された注文が、ボックス１１１１でキャンセルされた場合、第三者小売店サイトインターフェース１５５は、ボックス１１１３で第三者小売店サイトから注文キャンセル通知を受け取ることができる。したがって、そのような場合において、第三者小売店サイトインターフェース１５５は、トランザクションと関連して使用不可にされたデジタルクーポンの使用不可の取消しを支援することができる。
【００６４】
クーポンクリアリングハウスアプリケーション１２１によって実行される販売時点情報管理インターフェース１５７の動作の一例を示す図１２をここで参照する。ボックス１２０１では、販売時点情報管理インターフェース１５７は、小売店アカウントと関連づけられた販売時点情報管理システム１１５を認証する。ボックス１２０３では、販売時点情報管理インターフェース１５７は、販売時点情報管理システム１１５を介した購入と関連するユーザに対応する、販売時点情報管理システム１１５から受け取られたユーザＩＤを受け取る。販売時点情報管理システム１１５はまた、購入と関連する製品と関連づけられた１つまたは複数の製品ＩＤを送信することができる。ボックス１２０５では、クーポンクリアリングハウスアプリケーション１２１によって実行される販売時点情報管理インターフェース１５７は、ユーザアカウントと関連づけられたデジタルクーポンを特定することができ、ボックス１２０７では、販売時点情報管理インターフェース１５７は、特定されたデジタルクーポンを、販売時点情報管理システム１１５に送信することができる。最後に、ボックス１２０９では、販売時点情報管理システムは、購入確認を、購入と関連する販売時点情報管理システムから受け取ることができる。
【００６５】
図１３を参照すると、図示されるのは、本開示の一実施形態による、コンピューティングデバイス１０３の模式的なブロック図である。コンピューティングデバイス１０３は、例えば、プロセッサ９５３およびメモリ９５６を有する少なくとも１つのプロセッサ回路を含み、プロセッサ９５３およびメモリ９５６はどちらもローカルインタフェース９５９に接続される。この目的を達成するために、コンピューティングデバイス１０３は、例えば、少なくとも１つのサーバコンピュータ等を備えてもよい。ローカルインタフェース９５９は、例えば、付随するアドレス／制御バス、または理解できるような他のバス構造を有するデータバスを備えてもよい。
【００６６】
メモリ９５６に格納されるのは、データ、およびプロセッサ９５３によって実行可能ないくつかの構成要素の両方である。さらに、メモリ９５６に格納され、プロセッサ９５３によって実行可能なのは、クーポンクリアリングハウスアプリケーション１２１であり、場合によっては、他のアプリケーションである。また、メモリ９５６に格納されるのは、データストア１２４および他のデータであってもよい。さらに、オペレーティングシステムをメモリ９５６に格納し、プロセッサ９５３によって実行可能としてもよい。
【００６７】
理解できるように、メモリ９５６に格納され、プロセッサ９５３によって実行可能な他のアプリケーションがあってもよいことが理解されよう。本明細書で説明される任意の構成要素は、ソフトウェアの形式で実現される場合、様々なプログラミング言語の任意の１つを使用してもよく、そのようなプログラミング言語には、例えば、Ｃ、Ｃ＋＋、Ｃ＃、Ｏｂｊｅｃｔｉｖｅ  Ｃ、Ｊａｖａ、Ｊａｖａｓｃｒｉｐｔ、Ｐｅｒｌ、ＰＨＰ、Ｖｉｓｕａｌ  Ｂａｓｉｃ、Ｐｙｔｈｏｎ、Ｒｕｂｙ、Ｄｅｌｐｈｉ、Ｆｌａｓｈ、または他のプログラミング言語がある。
【００６８】
様々なソフトウェア部品がメモリ９５６に格納され、プロセッサ９５３によって実行可能とされる。この点において、「実行可能」という用語は、最終的にプロセッサ９５３によって実行される形式のプログラムファイルを意味する。実行可能プログラムの例は、例えば、メモリ９５６のランダムアクセス部分にロードされ、プロセッサ９５３によって実行され得るフォーマットで機械コードに変換され得るコンパイル済のプログラム、メモリ９５６のランダムアクセス部分にロードされ、プロセッサ９５３によって実行されることを可能にするオブジェクトコード等の適切なフォーマットで表すことができるソースコード、または、他の実行可能プログラムによって翻訳され、メモリ９５６のランダムアクセス部分に命令を生成し、プロセッサ９５３によって実行されることができるソースコード等であってもよい。実行可能プログラムは、メモリ９５６の任意の部分または部品に格納することができ、そのようなメモリには、例えば、ランダムアクセスメモリ（ＲＡＭ）、リードオンリーメモリ（ＲＯＭ）、ハードドライブ、ソリッドステートドライブ、ＵＳＢフラッシュドライブ、メモリカード、コンパクトディスク（ＣＤ）やデジタル多用途ディスク（ＤＶＤ）等の光ディスク、フロッピーディスク、磁気テープ、または他のメモリ部品を含む。
【００６９】
メモリ９５６は、揮発性および不揮発性メモリとデータストレージ部品の両方を含むとして本明細書に定義される。揮発性部品は、電力喪失時にデータ値を保持しないものである。不揮発性部品は、電力喪失時にデータを保持するものである。したがって、メモリ９５６は、例えば、ランダムアクセスメモリ（ＲＡＭ）、リードオンリーメモリ（ＲＯＭ）、ハードディスクドライブ、ソリッドステートドライブ、ＵＳＢフラッシュドライブ、メモリカードリーダを介してアクセスされるメモリカード、関連づけられたフロッピーディスクドライブを介してアクセスされるフロッピーディスク、光ディスクドライブを介してアクセスされる光ディスク、適切なテープドライブを介してアクセスされる磁気テープ、および／または他のメモリ部品、もしくはこれらメモリ部品の任意の２つ以上の組合せを備えることができる。さらに、ＲＡＭは、例えば、スタティックランダムアクセスメモリ（ＳＲＡＭ）、ダイナミックランダムアクセスメモリ（ＤＲＡＭ）、または磁気ランダムアクセスメモリ（ＭＲＡＭ）ならびに他のそのようなデバイスを含むことができる。ＲＯＭは、プログラマブルリードオンリーメモリ（ＰＲＯＭ）、消去可能プログラマブルリードオンリーメモリ（ＥＰＲＯＭ）、電気的消去可能プログラマブルリードオンリーメモリ（ＥＥＰＲＯＭ）、または他の同様のメモリデバイスを含むことができる。
【００７０】
また、プロセッサ９５３は、複数のプロセッサ９５３を表し得、メモリ９５６は、それぞれ並列処理回路で動作する複数のメモリ９５６を表し得る。そのような場合では、ローカルインタフェース９５９は、複数のプロセッサ９５３の任意の２つの間、任意のプロセッサ９５３と任意のメモリ９５６の間、またはメモリ９５６の任意の２つの間等で、通信を支援する適切なネットワークとすることができる。ローカルインタフェース９５９は、例えば負荷平衡を実行することを含む、この通信を調整するために設計された追加システムを備えることができる。プロセッサ９５３は、電気的構造、または何らかの他の利用可能な構造であってもよい。
【００７１】
本明細書に記載されたクーポンクリアリングハウスアプリケーション１２１および他の様々なシステムは、上記のような汎用ハードウェアによって実行されるソフトウェアまたはコードで実施することができるが、代替として、それらはまた、専用ハードウェア、またはソフトウェア／汎用ハードウェアと専用ハードウェアの組合せで実施することもできる。専用ハードウェアで実施された場合、それぞれは、様々な技術の任意の１つ、もしくは組合せを使用する回路もしくは状態機械として実現することができる。これらの技術は、これらに限らないが、１つまたは複数のデータ信号の適用時に様々なロジック関数を実施するためのロジックゲートを有する離散ロジック回路、適切なロジックゲートを有する特定用途向け集積回路、または他の構成要素等を含んでもよい。そのような技術は、一般に、当業者によって周知であり、したがって、本明細書に詳細には記載しない。
【００７２】
図９から図１２のフローチャートは、クーポンクリアリングハウスアプリケーション１２１の一部の実現形態の機能性および動作を示す。ソフトウェアで実施された場合、各ブロックは、指定された論理的機能を実現するためのプログラム命令を備えるコードのモジュール、セグメント、または部分を意味することができる。プログラム命令は、プログラミング言語で書かれた、人間が読めるステートメントを含むソースコード、またはコンピュータシステムもしくは他のシステム内のプロセッサ９５３等の適切な実行システムによって認識可能な数値命令を含む機械コードの形式で実施されてもよい。機械コードは、ソースコード等から変換してもよい。ハードウェアで実施された場合、各ブロックは、指定された論理的機能を実現するための回路、または多くの相互に接続された回路を意味することができる。
【００７３】
図９から図１２のフローチャートは、実行の特定の順序を示すが、実行の順序は示した順序と異なってもよいことが理解されよう。例えば、２つ以上のブロックの実行順序は、示した順序に対して順序が入れ替わっていてもよい。また、図９から図１２で連続して示す２つ以上のブロックは、同時に、または部分的に並列で実行されてもよい。さらに、いくつかの実施形態において、図９から図１２に示す１つまたは複数のブロックは、とばす、または省略してもよい。さらに、任意の数のカウンター、状態変数、警告セマフォ（ｗａｒｎｉｎｇ  ｓｅｍａｐｈｏｒｅ）、またはメッセージを、有用性の向上、アカウンティング、性能測定、またはトラブルシューティング支援機能の提供の目的のために、本明細書に記載されたロジックフローに加えてもよい。そのような変形は全て、本開示の範囲内であることが理解されよう。
【００７４】
また、クーポンクリアリングハウスアプリケーション１２１を含む、ソフトウェアもしくはコードを備える本明細書に記載された任意のロジックもしくはアプリケーションは、例えば、コンピュータシステムもしくは他のシステム内のプロセッサ９５３等の命令実行システムによって、もしくはそれと関連して使用するための、任意の非一時的コンピュータ読込み可能媒体で実施することができる。この意味で、ロジックは、例えば、コンピュータ読込み可能媒体から取り出すことができ、さらに命令実行システムによって実行することができる命令ならびに宣言を含むステートメントを備えてもよい。本開示の文脈では、「コンピュータ読込み可能媒体」は、命令実行システムによって、もしくはそれと関連して使用するための、本明細書に記載されたロジックもしくはアプリケーションを備え、格納し、もしくは維持することができる任意の媒体とすることができる。コンピュータ読込み可能媒体は、例えば、磁気、光学、または半導体媒体等の多くの物理媒体の任意の１つを備えることが可能である。適切なコンピュータ読込み可能媒体のさらなる具体例は、これだけに限らないが、磁気テープ、磁気フロッピーディスク、磁気ハードドライブ、メモリカード、ソリッドステートドライブ、ＵＳＢフラッシュドライブ、または光ディスクを含むであろう。また、コンピュータ読込み可能媒体は、例えば、スタティックランダムアクセスメモリ（ＳＲＡＭ）とダイナミックランダムアクセスメモリ（ＤＲＡＭ）とを含むランダムアクセスメモリ（ＲＡＭ）、または磁気ランダムアクセスメモリ（ＭＲＡＭ）としてもよい。さらに、コンピュータ読込み可能媒体は、リードオンリーメモリ（ＲＯＭ）、プログラマブルリードオンリーメモリ（ＰＲＯＭ）、消去可能プログラマブルリードオンリーメモリ（ＥＰＲＯＭ）、電気的消去可能プログラマブルリードオンリーメモリ（ＥＥＰＲＯＭ）、または他の種類のメモリデバイスとしてもよい。
【００７５】
項目
項目１．コンピューティングデバイス内で実行可能なプログラムを実施する非一時的コンピュータ読込み可能媒体であり、プログラムは、
少なくとも１つの製品ＩＤを規定する少なくとも１つのクーポン仕様をクーポン発行者から受け取るコードと、
少なくとも１つのクーポン仕様に少なくとも基づいて少なくとも１つのデジタルクーポンを生成するコードと、
少なくとも１つのデジタルクーポンを、ユーザアカウントと関連づけられた少なくとも１人のユーザに割り当てるコードと、
第三者小売店サイトにおけるセッションと関連づけられたユーザの識別情報を検証するコードと、
第三者小売店サイトにおけるユーザの仮想ショッピングカートと関連づけられた少なくとも１つの製品を特定するコードと、
少なくとも１つのクーポンが、少なくとも１つの製品に適用されるかどうかを判断するコードと、
プロモーションを第三者小売店サイトに送信するコードと、
プロモーションと同等である、第三者小売店の払い戻しを支援するコードとを備える、非一時的コンピュータ読込み可能媒体。
項目２．システムであり、
少なくとも１つのコンピューティングデバイスと、
少なくとも１つのコンピューティングデバイスで実行可能なクーポンクリアリングハウスアプリケーションとを備え、クーポンクリアリングハウスアプリケーションアプリケーションは、
少なくとも１つの製品ＩＤを規定する少なくとも１つのクーポン仕様をクーポン発行者から受け取るロジックと、
少なくとも１つのクーポン仕様に少なくとも基づいて少なくとも１つのデジタルクーポンを生成するロジックと、
少なくとも１つのデジタルクーポンを、ユーザアカウントと関連づけられた少なくとも１人のユーザに割り当てるロジックと、
第三者小売店サイトで少なくとも１つのデジタルクーポンの償還を支援するロジックと、
少なくとも１つのデジタルクーポンの多くの償還を詳述するレポートを生成するロジックとを備える、
システム。
項目３．クーポンクリアリングハウスアプリケーションが、少なくとも１つのクーポンに対する配信フィードを生成するロジックをさらに備え、配信フィードが、関連サイト上での少なくとも１つのクーポンの公表を支援する、項目２のシステム。
項目４．配信フィードを生成するロジックはさらに、
第三者サイトのページ上のコンテンツを分析するロジックと、
第三者サイトのページ上のコンテンツへの関連性を有する少なくとも１つのクーポンのサブセットを選択するロジックと、
配信フィード内に、少なくとも１つのクーポンのサブセットを提供するロジックとを備える、
項目３のシステム。
項目５．少なくとも１つのクーポン仕様はさらに、
少なくとも１つのクーポンと関連づけられた割引および無料の品目の少なくとも１つを規定する少なくとも１つのプロモーションと、
クーポン発行者が少なくとも１つのクーポン仕様を追跡することを可能にするＩＤを備える少なくとも１つの内部ＩＤとを備える、
項目２のシステム。
項目６．少なくとも１つのクーポン仕様はさらに、
クーポン発行者によって指定されたクーポンと関連づけられた総予算を規定するキャンペーン予算と、
少なくとも１つのクーポンと関連づけられ、少なくとも１つのクーポンがターゲットとされるユーザプロフィールデータを規定する、少なくとも１セットのターゲット基準とを備える、
項目５のシステム。
項目７．ユーザデータストアをさらに備え、ユーザデータストアは、ユーザに関するプロフィールデータを格納するよう構成され、プロフィールデータはさらに、各ユーザに割り当てられたクーポンに関するデータを備える、項目２のシステム。
項目８．クーポンクリアリングハウスアプリケーションは、ユーザデータストア内のユーザプロフィールデータからの各ユーザと関連づけられたマーケティングデータを生成するロジックをさらに備え、マーケティングデータはさらに、
ユーザが頻繁に訪れる少なくとも１つの第三者サイトと、
ユーザが利用した、ユーザに発行された少なくとも１つのデジタルクーポンと、
ユーザと関連づけられた購入履歴とを備える、
項目７のシステム。
項目９．クーポンクリアリングハウスアプリケーションは、ユーザに対する少なくとも１つのクーポン推薦を生成するロジックをさらに備え、少なくとも１つのクーポン推薦は、ユーザと関連づけられた購入履歴と、ユーザと関連づけられた閲覧履歴と、ユーザと関連づけられたユーザプロフィールにインポートされたマーケティングデータとの少なくとも１つから生成される、項目７のシステム。
項目１０．クーポンユーザインターフェースを表示するために符号化するロジックをさらに備え、クーポンユーザインターフェースは、デジタルクーポンのユーザプロフィールへの追加を支援する、項目２のシステム。
項目１１．クーポンクリアリングハウスアプリケーションはさらに、
少なくとも１つのクーポンを切り抜きしたユーザの総数を詳述する切り抜きレポートを生成するロジックと、
少なくとも１つのクーポンを切り抜きしたユーザのプロフィール特性を詳述するメトリクスレポートを生成するロジックと、
少なくとも１つのクーポンが利用された第三者小売店サイトの小売店特性を詳述する小売店レポートを生成するロジックとを備える、
項目２のシステム。
項目１２．第三者小売店サイトでの少なくとも１つのクーポンの償還を支援するロジックはさらに、
第三者小売店サイトにおけるセッションと関連づけられたユーザの識別情報を検証するロジックと、
第三者小売店サイトにおけるユーザの仮想ショッピングカートと関連づけられた少なくとも１つの製品を特定するロジックと、
少なくとも１つのクーポンが少なくとも１つの製品に適用されるかどうかを決定するロジックと、
プロモーションを、第三者小売店サイトに送信するロジックと、
第三者小売店の払い戻しを支援するロジックとを備える、
項目５のシステム。
項目１３．方法であり、
少なくとも１つのコンピューティングデバイスにおいて、少なくとも１つの製品ＩＤを規定する少なくとも１つのクーポン仕様を、クーポン発行者から受け取るステップと、
少なくとも１つのコンピューティングデバイスにおいて、少なくとも１つのクーポン仕様に少なくとも基づいて少なくとも１つのデジタルクーポンを生成するステップと、
少なくとも１つのコンピューティングデバイスにおいて、少なくとも１つのデジタルクーポンを、ユーザアカウントと関連づけられた少なくとも１人のユーザに割り当てるステップと、
少なくとも１つのコンピューティングデバイスにおいて、第三者小売店サイトおよび販売時点情報管理システムの少なくとも１つで少なくとも１つのデジタルクーポンの償還を追跡するステップと、
少なくとも１つのコンピューティングデバイスにおいて、少なくとも１つのデジタルクーポンの償還について、少なくとも１つの統計を詳述するメトリクスを生成するステップとを備える、
方法。
項目１４．少なくとも１つのクーポンに対する配信フィードを生成するステップをさらに備え、配信フィードは、関連サイト上で少なくとも１つのクーポンの公表を支援する、項目１３の方法。
項目１５．メトリクスは、少なくとも１つのデジタルクーポンの閲覧回数および少なくとも１つのデジタルクーポンをユーザが切り抜きした回数についての少なくとも１つの統計値をさらに備える、項目１４の方法。
項目１６．配信フィードを生成するステップはさらに、
少なくとも１つのコンピューティングデバイスにおいて、関連サイトのページ上のコンテンツを分析することと、
少なくとも１つのコンピューティングデバイスにおいて、関連サイトのページ上のコンテンツへの関連性を有する少なくとも１つのクーポンのサブセットを選択することと、
少なくとも１つのコンピューティングデバイスにおいて、配信フィードにおいて少なくとも１つのクーポンのサブセットを提供するステップとを備える、
項目３の方法。
項目１７．少なくとも１つのクーポン仕様はさらに、
少なくとも１つの製品ＩＤと関連づけられ、販売価格のパーセンテージおよび販売価格から割引された固定金額の少なくとも１つを規定する少なくとも１つの割引と、
クーポン発行者が少なくとも１つのクーポン仕様を追跡することを可能にするＩＤを備える少なくとも１つの内部ＩＤとを備える、
項目１３の方法。
項目１８．少なくとも１つのクーポン仕様はさらに、クーポン発行者によって指定されたクーポンと関連づけられた総予算を規定するキャンペーン予算と総予算とを備え、
少なくとも１つのデジタルクーポンの償還を追跡するステップはさらに、少なくとも１つのデジタルクーポンが利用された場合、クーポン仕様によって指定された割引と償還手数料を、キャンペーン予算から差し引くことを備える、
項目１７の方法。
項目１９．少なくとも１つのクーポン仕様はさらに、少なくとも１つのクーポンと関連づけられた少なくとも１セットのターゲット基準を備え、少なくとも１セットのターゲット基準は、少なくとも１つのクーポンをターゲットとしたユーザプロフィールデータを規定する、項目１３の方法。
項目２０．少なくとも１つのコンピューティングデバイスがアクセス可能な、ユーザデータストア内に少なくとも１人のユーザに割り当てられた少なくとも１つのデジタルクーポンを格納するステップをさらに備え、ユーザデータストアはさらに、各ユーザアカウントと関連づけられたユーザプロフィールデータを備える、項目１３の方法。
項目２１．データストア内の各ユーザと関連づけられたユーザプロフィールデータからマーケティングデータを生成するステップをさらに備え、マーケティングデータはさらに、
ユーザが訪問した少なくとも１つの第三者サイトと、
ユーザが利用した、ユーザに発行された少なくとも１つのデジタルクーポンと、
ユーザと関連づけられた購入履歴とを備える、
項目２０の方法。
項目２２．ユーザに対して少なくとも１つのクーポン推薦を生成するステップをさらに備え、少なくとも１つのクーポン推薦は、ユーザと関連づけられた購入履歴、ユーザと関連づけられた閲覧履歴、およびユーザと関連づけられたユーザプロフィールにインポートされたマーケティングデータの少なくとも１つから生成される、項目２０の方法。
項目２３．クーポンユーザインターフェースを表示するために符号化するステップをさらに備え、クーポンユーザインターフェースは、クライアントのユーザによる、ユーザプロフィールへのデジタルクーポンの割り当てを支援する、項目１３の方法。
項目２４．少なくとも１つのデジタルクーポンについてメトリクスを生成するステップはさらに、
少なくとも１つのクーポンを切り抜きしたユーザのユーザプロフィール特性を詳述する少なくとも１つの統計値を生成することと、
少なくとも１つのクーポンが利用された第三者小売店サイトの小売店特性を詳述する少なくとも１つの統計値を生成することとを備える、
項目１３の方法。
項目２５．第三者小売店サイトおよび販売時点情報管理システムの少なくとも一方におけるセッションと関連づけられたユーザの識別情報を検証するステップと、
ユーザの仮想ショッピングカートと関連づけられた少なくとも１つの製品を識別するステップと、
少なくとも１つのクーポンが、少なくとも１つの製品に適用されるかどうかを決定するステップと、
少なくとも１つの製品と関連づけられた少なくとも１つの割引を、第三者小売店サイトに送信するステップと、
ユーザアカウントと関連づけられた少なくとも１つのデジタルクーポンを使用不可にするステップとをさらに備える、
項目１７の方法。
項目２６．コンピューティングデバイスにおいて実行可能なプログラムを実施する非一時的コンピュータ読込み可能媒体であり、プログラムは、
ユーザアカウントと関連づけられ、モバイルアプリケーションを実行するモバイルデバイスから販売時点情報管理システム内に受信されるユーザＩＤを、販売時点情報管理システムから受け取るコードと、
販売時点情報管理システムによって特定された少なくとも１つの製品に対応する少なくとも１つの製品ＩＤを受け取るコードと、
ユーザアカウントと関連づけられた少なくとも１つのデジタルクーポンを特定するコードと、
少なくとも１つの製品ＩＤに適用可能であるユーザアカウントと関連づけられた少なくとも１つのデジタルクーポンを特定するコードと、
少なくとも１つの製品ＩＤに適用可能な少なくとも１つのデジタルクーポンを、販売時点情報管理システムに送信するコードと、
少なくとも１つの製品と関連づけられた購入に関する購入確認を受け取るコードとを備え、購入確認はさらに、購入に伴って販売時点情報管理システムによって利用された少なくとも１つのデジタルクーポンの少なくとも１サブセットを備える、
非一時的コンピュータ読込み可能媒体。
項目２７．システムであり、
少なくとも１つのコンピューティングデバイスと、
少なくとも１つのコンピューティングデバイスで実行可能なクーポンクリアリングハウスアプリケーションとを備え、クーポンクリアリングハウスアプリケーションは、
小売店アカウントと関連づけられた販売時点情報管理システムを認証するロジックと、
ユーザアカウントと関連づけられたユーザＩＤを、販売時点情報管理システムから受け取るロジックと、
ユーザアカウントと関連づけられた少なくとも１つのデジタルクーポンを特定するロジックと、
少なくとも１つのデジタルクーポンを、販売時点情報管理システムに送信するロジックと、
少なくとも１つの製品と関連づけられた購入と関連する購入確認を受け取るロジックとを備え、購入確認はさらに、購入に伴って販売時点情報管理システムによって利用された少なくとも１つのデジタルクーポンの少なくとも１サブセットを備える、
システム。
項目２８．ユーザＩＤは暗号化され、クーポンクリアリングハウスアプリケーションはさらに、ユーザＩＤを復号化し、ユーザＩＤと関連づけられたユーザアカウントを識別するロジックを備える、項目２７のシステム。
項目２９．ユーザＩＤは、モバイルアプリケーションを実行するモバイルデバイスから販売時点情報管理システム内に受け取られる、項目２７のシステム。
項目３０．モバイルアプリケーションは、無線ネットワークプロトコルを介して、販売時点情報管理システムとハンドシェイクを実行する、項目２９のシステム。
項目３１．モバイルアプリケーションは、少なくとも１つのモバイルデジタルクーポンをモバイルデバイスから読み出し、少なくとも１つのモバイルデジタルクーポンを、無線ネットワークプロトコルを介して、販売時点情報管理システムに送信する、項目３０のシステム。
項目３２．クーポンクリアリングハウスアプリケーションはさらに、
少なくとも１つのモバイルデジタルクーポンを販売時点情報管理システムから受信するロジックと、
少なくとも１つのモバイルデジタルクーポンを検証するロジックとを備える、
項目３１のシステム。
項目３３．少なくとも１つのモバイルデジタルクーポンを検証するロジックはさらに、少なくとも１つのモバイルデジタルクーポンが、クーポンクリアリングハウスアプリケーションがアクセス可能なクーポン仕様に対応することを検証するロジックを備える、項目３２のシステム。
項目３４．クーポンクリアリングハウスアプリケーションはさらに、
検証確認を販売時点情報管理システムに送信するロジックと、
デジタルクーポン債務メッセージをモバイルデバイスに送信するロジックとを備え、デジタルクーポン債務メッセージは、少なくとも１つのデジタルクーポンを使用不可にさせるように指示する、
項目３２のシステム。
項目３５．クーポンクリアリングハウスアプリケーションはさらに、販売時点情報管理システムによって識別された少なくとも１つの製品に対応する少なくとも１つの製品ＩＤを受け取るロジックを備え、ユーザアカウントと関連づけられた少なくとも１つのデジタルクーポンを送信するロジックはさらに、少なくとも１つの適用可能なクーポンを送信するロジックを備え、少なくとも１つの適用可能なクーポンは、少なくとも１つの製品ＩＤに適用可能である、項目２７のシステム。
項目３６．少なくとも１つの製品と関連づけられた購入と関連する購入確認を受け取るロジックはさらに、ある期間にわたってログ記録された複数の購入と関連づけられた複数の購入確認を受け取るロジックを備える、項目２７のシステム。
項目３７．クーポンクリアリングハウスアプリケーションはさらに、クーポンクリアリングハウスアプリケーションがアクセス可能な複数のデジタルクーポンを販売時点情報管理システムに送信するロジックを備え、複数のクーポンは、販売時点情報管理システムがアクセス可能なデータストア内にキャッシュされる、項目２７のシステム。
項目３８．方法であり、
少なくとも１つのコンピューティングデバイスにおいて、ユーザアカウントと関連づけられたユーザＩＤを、モバイルデバイスから受け取るステップと、
少なくとも１つのコンピューティングデバイスにおいて、ユーザアカウントと関連づけられた少なくとも１つのデジタルクーポンを特定するステップと、
少なくとも１つのコンピューティングデバイスから、少なくとも１つのデジタルクーポンをモバイルデバイスに送信するステップと、
少なくとも１つのコンピューティングデバイスにおいて、販売時点情報管理システムから、少なくとも１つの製品と関連づけられた購入と関連する購入確認を受け取るステップとを備え、購入確認はさらに、購入に伴って販売時点情報管理システムによって利用された少なくとも１つのデジタルクーポンの少なくとも１サブセットを備える、
方法。
項目３９．購入確認が受け取られた場合、少なくとも１つのコンピューティングデバイスにおいて、少なくとも１つのデジタルクーポンを使用不可にするステップをさらに備える、項目３８の方法。
項目４０．少なくとも１つのコンピューティングデバイスにおいて、購入と関連づけられた少なくとも１つの製品の取消または返却の少なくとも一方と関連づけられたキャンセル通知を受け取るステップと、
キャンセル通知と関連づけられた少なくとも１つのデジタルクーポンの使用不可を取り消すステップとを備える、
項目３９の方法。
項目４１．少なくとも１つのデジタルクーポンを使用不可にするステップはさらに、少なくとも１つのデジタルクーポンを無効にするステップを備える、項目３９の方法。
項目４２．無線ネットワークプロトコルを介して、モバイルデバイスと販売時点情報管理システムとの間でハンドシェイクを実行するステップを備える、項目３８の方法。
項目４３．モバイルデバイスにおいて、少なくとも１つのデジタルクーポンを読み出すステップと、モバイルデバイスから、無線ネットワークプロトコルを介して、販売時点情報管理システムに少なくとも１つのモバイルデジタルクーポンを送信するステップとをさらに備える、項目４２の方法。
項目４４．少なくとも１つのコンピューティングデバイスにおいて、少なくとも１つのモバイルデジタルクーポンを検証するステップをさらに備える、項目３８の方法。
項目４５．少なくとも１つのモバイルデジタルクーポンを検証するステップはさらに、少なくとも１つのコンピューティングデバイスにおいて、少なくとも１つのモバイルデジタルクーポンが、少なくとも１つのコンピューティングデバイスがアクセス可能なクーポン仕様に対応することを検証するステップを備える、項目４４の方法。
項目４６．少なくとも１つのコンピューティングデバイスから、販売時点情報管理システムに検証確認を送信するステップと、
少なくとも１つのコンピューティングデバイスから、デジタルクーポン使用制限メッセージをモバイルデバイスに送信するステップとをさらに備え、デジタルクーポン使用制限メッセージは、少なくとも１つのデジタルクーポンを使用不可にさせるように指示する、項目４４の方法。
項目４７．少なくとも１つのコンピューティングデバイスにおいて、販売時点情報管理システムによって特定された少なくとも１つの製品に対応する少なくとも１つの製品ＩＤを受け取るステップをさらに備え、ユーザアカウントと関連づけられた少なくとも１つのデジタルクーポンを送信するステップはさらに、少なくとも１つの適用可能なクーポンを送信するステップを備え、少なくとも１つの適用可能なクーポンは、少なくとも１つの製品ＩＤに適用可能である、項目３８の方法。
項目４８．少なくとも１つの製品と関連づけられた購入と関連する購入確認を受け取るステップはさらに、少なくとも１つのコンピューティングデバイスにおいて、ある期間にわたってログ記録された複数の購入と関連づけられた複数の購入確認を受け取るステップを備える、項目３８の方法。
項目４９．少なくとも１つのコンピューティングデバイスがアクセス可能な複数のデジタルクーポンを販売時点情報管理システムに送信するステップをさらに備え、複数のクーポンは、販売時点情報管理システムがアクセス可能なデータストア内にキャッシュされる、項目３８の方法。
項目５０．コンピューティングデバイスで実行可能なプログラムを実施する非一時的コンピュータ読込み可能媒体であり、プログラムは、
第三者小売店サイトアカウントと関連づけられた第三者小売店サイトを認証するコードと、
第三者小売店サイトによって生成され、第三者小売店サイトと関連づけられた仮想ショッピングカートと関連し、ユーザと関連づけられたブラウザ内の、ユーザアカウントを一意に識別するユーザＩＤを備えるブラウザクッキーに埋め込まれ、第三者小売店サイトユーザアカウントと関連づけられた電子メールアドレスと、第三者小売店ユーザアカウントと関連づけられたユーザ名と、第三者小売店サイトユーザアカウントと関連づけられた名前と、第三者小売店サイトユーザアカウントと関連づけられた発送先と、第三者小売店サイトユーザアカウントと関連づけられた電話番号との少なくとも１つをさらに備える、ユーザＩＤを受け取るコードと、
ユーザアカウントと関連づけられた少なくとも１つのデジタルクーポンを特定するコードと、
少なくとも１つのデジタルクーポンを、第三者小売店サイトに送信するコードと、
仮想ショッピングカートと関連づけられた購入と関連し、購入に伴って第三者小売店サイトによって利用された少なくとも１つのデジタルクーポンの少なくとも１サブセットをさらに備える購入確認を受け取るコードと、
所定の期間にわたってクーポンクリアリングハウスアプリケーションから受信した少なくとも１つのデジタルクーポンと共に提供される総割引をさらに備える、所定の期間に対する払い戻し要求を受け取るコードと、
所定の期間にわたって少なくとも１つの特定の製品ＩＤに適用可能なデジタルクーポンの総数を計算するコードと、
デジタルクーポンの総数が適用された在庫と関連づけられた少なくとも１つの購入注文を特定する、所定の期間に対する第三者小売店サイトからの在庫検証レポートを受け取るコードとを備える、
非一時的コンピュータ読込み可能媒体。
項目５１．システムであり、
少なくとも１つのコンピューティングデバイスと、
少なくとも１つのコンピューティングデバイスで実行可能なクーポンクリアリングハウスアプリケーションとを備え、クーポンクリアリングハウスアプリケーションは、
第三者小売店サイトアカウントと関連づけられた第三者小売店サイトを認証するロジックと、
第三者小売店サイトから、第三者小売店サイトと関連づけられた仮想ショッピングカートと関連したユーザＩＤを受け取るロジックと、
ユーザアカウントと関連づけられた少なくとも１つのデジタルクーポンを特定するロジックと、
少なくとも１つのデジタルクーポンを、第三者小売店サイトに送信するロジックと、
仮想ショッピングカートと関連づけられた購入と関連した購入確認を受け取るロジックとを備え、購入確認はさらに、購入に伴って第三者小売店サイトによって利用された少なくとも１つのデジタルクーポンの少なくとも１サブセットをさらに備える、
システム。
項目５２．第三者小売店サイトからユーザＩＤを受け取るロジックはさらに、ユーザと関連づけられたブラウザ内のブラウザクッキーに埋め込まれたユーザＩＤを受け取ることを備え、ブラウザクッキーは、ユーザアカウントを一意に識別するユーザＩＤを備える、項目５１のシステム。
項目５３．第三者小売店サイトからユーザＩＤを受け取るロジックはさらに、暗号化されたユーザＩＤを受け取るロジックを備え、クーポンクリアリングハウスアプリケーションはさらに、暗号化されたユーザＩＤを復号化するロジックを備える、項目５２のシステム。
項目５４．ユーザＩＤはさらに、第三者小売店サイトユーザアカウントと関連づけられた電子メールアドレスと、第三者小売店サイトユーザアカウントと関連づけられたユーザ名と、第三者小売店サイトユーザアカウントと関連づけられた名前と、第三者小売店サイトユーザアカウントと関連づけられた発送先と、第三者小売店サイトユーザアカウントと関連づけられた電話番号との少なくとも１つを備える、項目５１のシステム。
項目５５．ユーザアカウントと関連づけられた少なくとも１つのデジタルクーポンを第三者小売店サイトに送信するロジックはさらに、仮想ショッピングカートと関連づけられた製品の少なくとも１サブセットに適用可能な少なくとも１つの適用可能なデジタルクーポンを送信するロジックを備える、項目５１のシステム。
項目５６．仮想ショッピングカートと関連づけられた製品の少なくとも１サブセットに適用可能な少なくとも１つの適用可能なデジタルクーポンを送信するロジックはさらに、製品ＩＤと製品ＩＤに適用可能なプロモーションとを備える少なくとも１つのペアを送信するロジックを備える、項目５５のシステム。
項目５７．プロモーションは、製品ＩＤと関連づけられた製品の購入に適用可能な割引の少なくとも１つを備える、項目５６のシステム。
項目５８．ユーザアカウントと関連づけられた少なくとも１つのデジタルクーポンを第三者小売店サイトに送信するロジックはさらに、ユーザアカウントと関連づけられた全デジタルクーポンである少なくとも１つのユーザアカウントデジタルクーポンを送信するロジックを備える、項目５１のシステム。
項目５９．クーポンクリアリングハウスアプリケーションはさらに、
第三者小売店サイトを介して利用可能な製品と関連づけられた複数の製品ＩＤを受け取るロジックと、
製品ＩＤの少なくとも１つと関連づけられた少なくとも１つの適用可能なデジタルクーポンを送信するロジックとを備える、
項目５１のシステム。
項目６０．クーポンクリアリングハウスアプリケーションはさらに、少なくとも１つのデジタルクーポンと関連づけられた制限が、少なくとも１つのデジタルクーポンを、仮想ショッピングカートと関連づけられた少なくとも１つの製品に適用することを可能にするかどうかを検証するロジックを備える、項目５１のシステム。
項目６１．仮想ショッピングカートと関連づけられた購入と関連した購入確認はさらに、少なくとも１つのデジタルクーポンのサブセットが適用される少なくとも１つの製品と関連づけられた発送確認を受け取るステップを備える、項目５１のシステム。
項目６２．クーポンクリアリングハウスアプリケーションはさらに、
所定の期間にわたって少なくとも１つの特定の製品ＩＤに適用可能なデジタルクーポンの総数を計算するロジックと、
所定の期間に対して第三者小売店サイトから、デジタルクーポンの総数が適用された在庫と関連づけられた少なくとも１つの購入注文を特定する在庫検証レポートを受け取るロジックとを備える、項目５１のシステム。
項目６３．クーポンクリアリングハウスアプリケーションはさらに、所定の期間に対する払い戻し要求を受け取るロジックを備え、払い戻し要求はさらに、所定の期間にわたってクーポンクリアリングハウスアプリケーションから受け取った少なくとも１つのデジタルクーポンと共に提供される総割引を備える、項目５１のシステム。
項目６４．ユーザアカウントと関連づけられた少なくとも１つのデジタルクーポンを特定するロジックはさらに、少なくとも１つのデジタルクーポンと関連づけられたクーポン制限が、少なくとも１つのデジタルクーポンを、第三者小売店サイトで利用することを許可するかどうかを決定するロジックを備える、項目５１のシステム。
項目６５．方法であり、
少なくとも１つのコンピューティングデバイスにおいて、第三者小売店サイトアカウントと関連づけられた第三者小売店サイトを認証するステップと、
少なくとも１つのコンピューティングデバイスにおいて、第三者小売店サイトと関連づけられた仮想ショッピングカートと関連したユーザＩＤを、第三者小売店サイトから受け取るステップと、
少なくとも１つのコンピューティングデバイスにおいて、ユーザアカウントと関連づけられた少なくとも１つのデジタルクーポンを特定するステップと、
少なくとも１つのコンピューティングデバイスから、少なくとも１つのデジタルクーポンを第三者小売店サイトに送信するステップと、
少なくとも１つのコンピューティングデバイスにおいて、仮想ショッピングカートと関連づけられた購入と関連した購入確認を受け取るステップと、
少なくとも１つのコンピューティングデバイスにおいて、購入に適用された少なくとも１つのデジタルクーポンを使用不可にするステップとを備える、
方法。
項目６６．少なくとも１つのデジタルクーポンを使用不可にするステップはさらに、少なくとも１つのデジタルクーポンの期限を切るステップを備える,
項目６５の方法。
項目６７．少なくとも１つのデジタルクーポンを使用不可にするステップはさらに、様々な許可された使用法を記述する少なくとも１つのデジタルクーポンと関連づけられたフィールドを減らすステップを備える,
項目６５の方法。
項目６８．ユーザＩＤを第三者小売店サイトから受け取るステップはさらに、ユーザと関連づけられたブラウザ内のブラウザクッキーに埋め込まれたユーザＩＤを受け取ることを備え、ブラウザクッキーは、ユーザアカウントを一意に識別するユーザＩＤを備える,
項目６５の方法。
項目６９．ユーザＩＤを第三者小売店サイトから受け取るステップはさらに、暗号化されたユーザＩＤを受け取るステップを備え、さらに、暗号化されたユーザＩＤを復号化するステップを備える、項目６８の方法。
項目７０．ユーザＩＤは、第三者小売店サイトユーザアカウントと関連づけられた電子メールアドレスと、第三者小売店サイトユーザアカウントと関連づけられたユーザ名と、第三者小売店サイトユーザアカウントと関連づけられた名前と、第三者小売店サイトユーザアカウントと関連づけられた発送先と、第三者小売店サイトユーザアカウントと関連づけられた電話番号との少なくとも１つである、項目６５の方法。
項目７１．ユーザＩＤを第三者小売店サイトから受け取るステップはさらに、ハッシュされたユーザＩＤを受け取るステップを備える、項目７０の方法。
項目７２．ユーザＩＤを第三者小売店サイトから受け取るステップはさらに、ハッシュされたユーザＩＤを、ユーザアカウントと関連づけられた少なくとも１つのユーザＩＤと関連したハッシュ署名と比較するステップを備える、項目７１の方法。
項目７３．少なくとも１つのデジタルクーポンを第三者小売店サイトに送信するステップはさらに、少なくとも１つの適用可能なデジタルクーポンを送信するステップを備え、少なくとも１つの適用可能なデジタルクーポンは、仮想ショッピングカートと関連づけられた製品の少なくとも１つのサブセットに適用可能であり、少なくとも１つの適用可能なデジタルクーポンは、製品ＩＤと、製品ＩＤに適用可能なプロモーションとを備える少なくとも１つのペアを備える、項目７１の方法。
項目７４．プロモーションは、製品ＩＤと関連づけられた製品の購入に適用可能な割引の少なくとも１つを備える、項目７３の方法。
項目７５．少なくとも１つのコンピューティングデバイスにおいて、第三者小売店サイトを介して利用可能な製品と関連づけられた複数の製品ＩＤを受け取るステップと、
少なくとも１つのコンピューティングデバイスから、製品ＩＤの少なくとも１つと関連づけられた少なくとも１つの適用可能なデジタルクーポンを送信するステップとをさらに備える、
項目６５の方法。
項目７６．少なくとも１つのコンピューティングデバイスにおいて、少なくとも１つのデジタルクーポンと関連づけられた制限が、少なくとも１つのデジタルクーポンを、仮想ショッピングカートと関連づけられた少なくとも１つの製品に適用することを可能にするかどうかを検証するステップをさらに備える、項目６５の方法。
項目７７．仮想ショッピングカートと関連づけられた購入と関連した購入確認はさらに、少なくとも１つのデジタルクーポンのサブセットが適用された少なくとも１つの製品と関連づけられた発送確認を受け取ることを備える、項目６５の方法。
項目７８．少なくとも１つのコンピューティングデバイスにおいて、所定の期間にわたって少なくとも１つの特定の製品ＩＤに適用可能なデジタルクーポンの総数を計算するステップと、
少なくとも１つのコンピューティングデバイスにおいて、第三者小売店サイトから所定の期間に対する在庫確認レポートを受け取るステップとをさらに備え、在庫確認レポートは、デジタルクーポンの総数が適用された在庫と関連づけられた少なくとも１つの購入注文を特定する、
項目６５の方法。
項目７９．少なくとも１つのコンピューティングデバイスにおいて、所定の期間に対する払い戻し要求を受け取るステップをさらに備え、払い戻し要求はさらに、所定の期間にわたって、クーポンクリアリングハウスアプリケーションから受け取った少なくとも１つのデジタルクーポンと共に提供される総割引を備える、項目６５の方法。
項目８０．ユーザアカウントと関連づけられた少なくとも１つのデジタルクーポンを特定するステップはさらに、少なくとも１つのコンピューティングデバイスにおいて、少なくとも１つのデジタルクーポンと関連づけられたクーポン制限が、少なくとも１つのデジタルクーポンを、第三者小売店サイトで利用することを許可するかどうかを決定するステップを備える、項目６５の方法。
項目８１．コンピューティングデバイスで実行可能なプログラムを実施する非一時的コンピュータ読込み可能媒体であり、プログラムは、
ユーザが少なくとも１つのデジタルクーポンを仮想的に切り抜き、サブセットをユーザアカウントと関連づけることを可能にするクーポンユーザインターフェースに、少なくとも１つのデジタルクーポンを表示するために符号化するコードと、
ユーザと関連づけられたブラウザ内の、ユーザアカウントを一意に識別するユーザＩＤを備えるブラウザクッキーを確立することによって、ユーザアカウントに対応する少なくとも１つのコンピューティングデバイスにおいてセッションを確立するコードと、
第三者小売店サイトから要求を受け取り、クーポンを仮想ショッピングカート内の少なくとも１つの製品に適用するコードと、セッションと関連づけられた識別情報を備える要求はさらに、ユーザＩＤを第三者小売店サイトから受け取るコードを備え、
ユーザアカウントと関連づけられた少なくとも１つのユーザアカウントデジタルクーポンに関するデータを、第三者小売店サイトに送信するコードとを備える、
非一時的コンピュータ読込み可能媒体。
項目８２．システムであり、
少なくとも１つのコンピューティングデバイスと、
少なくとも１つのコンピューティングデバイスで実行可能なクーポンクリアリングハウスアプリケーションとを備え、クーポンクリアリングハウスアプリケーションは、
ユーザアカウントと関連づけられたユーザを認証するロジックと、
ユーザが少なくとも１つのデジタルクーポンを仮想的に切り抜きし、サブセットをユーザアカウントと関連づけることを可能にするクーポンユーザインターフェースに、少なくとも１つのデジタルクーポンを表示するために符号化するロジックと、
ユーザののために、第三者小売店サイトで少なくとも１つのデジタルクーポンのサブセットの少なくとも１つの償還を支援するロジックとを備える、
システム。
項目８３．ユーザのために、第三者小売店サイトで少なくとも１つのデジタルクーポンのサブセットの少なくとも１つの償還を支援するロジックはさらに、
ユーザアカウントと関連づけられた少なくとも１つのユーザアカウントデジタルクーポンに対する、第三者小売店サイトからの要求を受け取るロジックと、
ユーザアカウントと関連づけられた少なくとも１つのデジタルクーポンを備える少なくとも１つのユーザアカウントデジタルクーポンに関するデータを、第三者小売店サイトに送信するロジックとを備える、
項目８２のシステム。
項目８４．ユーザの代わりに第三者小売店サイトで少なくとも１つのデジタルクーポンのサブセットの少なくとも１つの償還を支援するロジックはさらに、
ユーザアカウントに対応する少なくとも１つのコンピューティングデバイスでセッションを確立するロジックと、
第三者小売店サイトから、セッションと関連づけられた識別情報を備える要求を受け取り、仮想ショッピングカート内の少なくとも１つの製品にクーポンを適用するロジックと、
ユーザアカウントと関連づけられた少なくとも１つのユーザアカウントデジタルクーポンに関するデータを、第三者小売店サイトに送信するロジックとを備える、
項目８２のシステム。
項目８５．ユーザアカウントに対応する少なくとも１つのコンピューティングデバイスでセッションを確立するロジックはさらに、少なくとも１つのユーザＩＤを第三者小売店サイトから受け取るロジックを備え、少なくとも１つのユーザＩＤは、電子メールアドレス、発送先の少なくとも一部、電話番号、および名前の少なくとも１つに対応する、項目８４のシステム。
項目８６．少なくとも１つのユーザＩＤはハッシュされ、少なくとも１つのユーザＩＤを受け取るロジックはさらに、同じハッシュ署名を有するユーザＩＤと関連づけられたユーザアカウントを特定するロジックを備える、項目８５のシステム。
項目８７．ユーザアカウントに対応する少なくとも１つのコンピューティングデバイスでセッションを確立するロジックはさらに、ユーザと関連づけられたブラウザ内の、ユーザアカウントを一意に識別するユーザＩＤを備えるブラウザクッキーを確立するロジックを備える、項目８４のシステム。
項目８８．第三者小売店サイトから要求を受け取り、仮想ショッピングカート内の少なくとも１つの製品にクーポンを適用するロジックはさらに、ユーザＩＤを第三者小売店サイトから受け取るロジックを備える項目８７のシステム。
項目８９．クーポンクリアリングハウスアプリケーションはさらに、ブラウザクッキー内のユーザＩＤを匿名にするロジックを備える、項目８７のシステム。
項目９０．第三者小売店サイトから受け取られるユーザＩＤは暗号化される、項目８８のシステム。
項目９１．ユーザアカウントと関連づけられた少なくとも１つのユーザアカウントデジタルクーポンに関するデータを、第三者小売店サイトに送信するロジックはさらに、
ユーザＩＤを復号化するロジックと、
ユーザＩＤと関連づけられたユーザアカウントを特定するロジックとを備える、
項目８８のシステム。
項目９２．クーポンクリアリングハウスアプリケーションはさらに、ユーザに対して、ユーザと関連づけられたユーザプロフィールを少なくとも基にして少なくとも１つの推薦されたデジタルクーポンを生成するロジックを備える、項目８２のシステム。
項目９３．少なくとも１つの推薦されたデジタルクーポンは、ユーザと関連づけられた購入履歴と、ユーザと関連づけられた閲覧履歴と、ユーザと関連づけられたクーポン償還履歴と、ユーザと関連づけられたデジタルクーポン切り抜き履歴と、ユーザによって指定された少なくとも１つの製品選好と、ユーザと関連づけられたユーザプロフィール内に維持されたマーケティングデータとに少なくとも基づく、項目９２のシステム。
項目９４．クーポンクリアリングハウスアプリケーションはさらに、ユーザアカウントと関連づけられた少なくとも１つのデジタルクーポンと関連する少なくとも１つの製品に少なくとも基づく少なくとも１つの製品推薦を生成するロジックを備える、項目８２のシステム。
項目９５．クーポンクリアリングハウスアプリケーションはさらに、ディスプレイ上にデジタルクーポンのデジタル表示を生成するよう構成されたモバイルデバイスに、少なくとも１つのデジタルクーポンのサブセットの表示を送信するロジックを備える、項目８２のシステム。
項目９６．方法であり、
少なくとも１つのコンピューティングデバイスにおいて、少なくとも１つのコンピューティングデバイスがアクセス可能なデータストアに格納したユーザアカウントと関連づけられたユーザを認証するステップと、
少なくとも１つのコンピューティングデバイスにおいて、ユーザアカウントと関連づけられた少なくとも１つのデジタルクーポンを読み出すステップと、
少なくとも１つのコンピューティングデバイスにおいて、ユーザのために、第三者小売店サイトおよび販売時点情報管理システムの少なくとも一方で、少なくとも１つのデジタルクーポンの償還を支援するステップとを備える、
方法。
項目９７．少なくとも１つのデジタルクーポンの償還を支援するステップはさらに、
少なくとも１つのコンピューティングデバイスにおいて、ユーザアカウントと関連づけられた少なくとも１つのデジタルクーポンに対し、第三者小売店サイトから要求を受け取るステップと、
少なくとも１つのコンピューティングデバイスから、少なくとも１つのデジタルクーポンに関するデータを、第三者小売店サイトに送信するステップとを備える、
項目９６の方法。
項目９８．少なくとも１つのデジタルクーポンの償還を支援するステップはさらに、
少なくとも１つのコンピューティングデバイスにおいて、ユーザアカウントに対応するセッションを確立するステップと、
少なくとも１つのコンピューティングデバイスにおいて、第三者小売店サイトおよび販売時点情報管理システムの少なくとも一方から要求を受け取り、クーポンを少なくとも１つの製品に適用するステップと、
少なくとも１つのコンピューティングデバイスから、ユーザアカウントと関連づけられた少なくとも１つのデジタルクーポンに関するデータを、第三者小売店サイトおよび販売時点情報管理システムの少なくとも一方に送信するステップと、
少なくとも１つのコンピューティングデバイスにおいて、少なくとも１つのデジタルクーポンと関連づけられた購入確認を受け取るステップと、
ユーザアカウントと関連づけられた少なくとも１つのデジタルクーポンを使用不可にするステップとを備える、
項目９６の方法。
項目９９．少なくとも１つのデジタルクーポンを使用不可にするステップはさらに、ユーザアカウントと関連づけられた少なくとも１つのデジタルクーポンを期限切れにするステップを備える、項目９８の方法。
項目１００．ユーザアカウントに対応する少なくとも１つのコンピューティングデバイスでセッションを確立するステップはさらに、ユーザと関連づけられたブラウザ内の、ユーザアカウントを一意に識別するユーザＩＤを備えるブラウザクッキーを確立するステップを備える、項目９８の方法。
項目１０１．要求を受信して、少なくとも１つの製品にクーポンを適用するステップはさらに、少なくとも１つのコンピューティングデバイスにおいて、第三者小売店サイトユーザアカウントと関連づけられたユーザＩＤを受け取るステップを備える、項目１００の方法。
項目１０２．ブラウザクッキー内のユーザＩＤを符号化するステップをさらに備え、ユーザＩＤは、ハッシュ関数で符号化される、項目１００の方法。
項目１０３．少なくとも１つのコンピューティングデバイスにおいて、ブラウザクッキー内のユーザＩＤを匿名にするステップをさらに備える、項目１００の方法。
項目１０４．第三者小売店サイトから受け取ったユーザＩＤを暗号化する、項目１０１の方法。
項目１０５．少なくとも１つのデジタルクーポンに関するデータを送信するステップはさらに、
少なくとも１つのコンピューティングデバイスにおいて、ユーザＩＤを復号化するステップと、
少なくとも１つのコンピューティングデバイスにおいて、ユーザＩＤと関連づけられたユーザアカウントを特定するステップとを備える、
項目１０１の方法。
項目１０６．少なくとも１つのコンピューティングデバイスにおいて、ユーザに対して、ユーザと関連づけられたユーザプロフィールを少なくとも基にした少なくとも１つの推薦されたデジタルクーポンを生成するステップをさらに備える、項目９６の方法。
項目１０７．少なくとも１つの推薦されたデジタルクーポンは、ユーザと関連づけられた購入履歴と、ユーザと関連づけられた製品閲覧履歴と、ユーザと関連づけられたクーポン償還履歴と、ユーザと関連づけられたデジタルクーポン切り抜き履歴と、ユーザと関連づけられたヒストリカルデジタルクーポン使用履歴と、ユーザによって指定された少なくとも１つの製品選好と、ユーザと関連づけられたユーザプロフィールで維持されたマーケティングデータとに少なくとも基づく、項目１０６の方法。
項目１０８．少なくとも１つのコンピューティングデバイスにおいて、ユーザアカウントと関連づけられた少なくとも１つのデジタルクーポンと関連した少なくとも１つの製品に少なくとも基づく少なくとも１つの製品推薦を生成するステップをさらに備える、項目９６の方法。
項目１０９．少なくとも１つのコンピューティングデバイスから、少なくとも１つのデジタルクーポンのサブセットの表示を、ディスプレイ上にデジタルクーポンのデジタル表示を生成するよう構成されたモバイルデバイスに送信するステップをさらに備える、項目９６の方法。
項目１１０．コンピューティングデバイスで実行可能なプログラムを実施する非一時的コンピュータ読込み可能媒体であり、プログラムは、
クーポン仕様を受け取るコードであって、クーポン仕様はデジタルクーポンを適用する少なくとも１つの製品とデジタルクーポンに対する少なくとも１つのクーポン制限とを備え、少なくとも１つのクーポン制限はさらにクーポンターゲット基準を備え、クーポンターゲット基準は、デジタルクーポンが利用可能なユーザの人口統計的情報と、デジタルクーポンが利用可能なユーザによってなされた少なくとも１つの製品購入と、デジタルクーポンが利用可能なユーザによって閲覧された少なくとも１つの製品と、デジタルクーポンが利用可能なユーザの地理的位置との少なくとも１つを規定する、コードと、
クーポン発行者のために、ユーザへのデジタルクーポンの配布を支援するコードと、
クーポン発行者の代わりに少なくとも１つのクーポン制限を実現することによってクーポン発行者の代わりに少なくとも１つの第三者小売店サイトでデジタルクーポンの償還を支援するコードであって、クーポン発行者によって指定されたクーポン制限が違反された場合、クーポンクリアリングハウスアプリケーションはデジタルクーポンの償還を拒否する、コードと、
デジタルクーポンの配布および償還の少なくとも一方に関する少なくとも１つの統計値を備えるクーポンメトリクスレポートを生成するコードと、
利用されたデジタルクーポンの数と、第三者小売店サイトに支払われた総額を詳述する請求書を生成するコードと、
請求書をクーポン発行者に送信するコードとを備える、
非一時的コンピュータ読込み可能媒体。
項目１１１．システムであり、
少なくとも１つのコンピューティングデバイスと、
少なくとも１つのコンピューティングデバイスで実行可能なクーポンクリアリングハウスアプリケーションとを備え、クーポンクリアリングハウスアプリケーションは、
デジタルクーポンを適用する少なくとも１つの製品およびデジタルクーポンに対する少なくとも１つのクーポン制限を備えるクーポン仕様を受け取るロジックと、
クーポン発行者のためにユーザへのデジタルクーポンの配布を支援するロジックと、
クーポン発行者のために少なくとも１つの第三者小売店サイトでデジタルクーポンの償還を支援するロジックと、
デジタルクーポンの配布および償還の少なくとも一方に関する少なくとも１つの統計値を備えるクーポンメトリクスレポートを生成するロジックと、
利用されたデジタルクーポンの数と、第三者小売店サイトに支払われた総額を詳述する請求書を生成するロジックとを備える、
システム。
項目１１２．クーポン発行者インターフェースはさらに、
クーポン発行者によって発行された第２の請求書を特定するロジックと、
第２の請求書から請求書によって指定された金額を差し引くロジックとを備える、
項目１１１のシステム。
項目１１３．少なくとも１つのクーポン制限はさらに、デジタルクーポンの償還の最大総数、およびユーザに割り当てることが可能なクーポン仕様によって指定されたデジタルクーポンの最大総数の少なくとも一方を規定するデジタルクーポン予算を備える、項目１１１のシステム。
項目１１４．少なくとも１つのクーポン制限はさらに、ユーザのためにデジタルクーポンを利用することが可能である少なくとも１つの第三者小売店サイトを規定する小売店制限を備える、項目１１１のシステム。
項目１１５．少なくとも１つのクーポン制限はさらに、デジタルクーポンが利用可能であるユーザの人口統計的情報、デジタルクーポンが利用可能であるユーザによってなされた少なくとも１つの製品購入、デジタルクーポンが利用可能であるユーザによって閲覧された少なくとも１つの製品、およびデジタルクーポンが利用可能であるユーザの地理的位置の少なくとも１つを規定するクーポンターゲット基準を備える、項目１１１のシステム。
項目１１６．クーポンクリアリングハウスアプリケーションは、クーポンターゲット基準を実施することによってクーポンが利用可能となるユーザを制限する、項目１１５のシステム。
項目１１７．クーポン発行者のために少なくとも１つの第三者小売店サイトでデジタルクーポンの償還を支援するロジックはさらに、クーポン発行者の代わりに少なくとも１つのクーポン制限を実施するロジックを備え、クーポンクリアリングハウスアプリケーションは、クーポン発行者によって指定されたクーポン制限が違反された場合、デジタルクーポンの償還を拒否する、項目１１１のシステム。
項目１１８．クーポン制限はさらに最小宣伝価格を備え、
クーポンクリアリングハウスアプリケーションはさらに、
第三者小売店サイトの製品と関連づけられた最小宣伝価格を特定することによってクーポン制限を実施するロジックと、
最小宣伝価格がクーポン制限によって指定された価格を超過する場合に、デジタルクーポンの償還を拒否するロジックとを備える、
項目１１１のシステム。
項目１１９．クーポン仕様はさらに、クーポン発行者が少なくとも１つの製品の販売と関連して支払うことを確約する金額を備える、項目１１１のシステム。
項目１２０．クーポン発行者が少なくとも１つの製品の販売と関連して支払うことを確約する金額はさらに、クーポン額面価格と、デジタルクーポンの償還と関連づけられた手数料とを備える、項目１１９のシステム。
項目１２１．方法であり、
少なくとも１つのコンピューティングデバイスにおいて、デジタルクーポンを規定し、デジタルクーポンを適用する少なくとも１つの製品およびデジタルクーポンに対する少なくとも１つのクーポン制限を備えるクーポン仕様を受け取るステップと、
少なくとも１つのコンピューティングデバイスにおいて、クーポン発行者の代わりに少なくとも１つのコンピューティングデバイスにアクセス可能な少なくとも１つのユーザアカウントと関連づけられたユーザにデジタルクーポンを配布するステップと、
少なくとも１つのコンピューティングデバイスにおいて、クーポン発行者のために少なくとも１つの第三者小売店サイトでデジタルクーポンの償還を支援するステップと、
少なくとも１つのコンピューティングデバイスにおいて、デジタルクーポンの配布および償還の少なくとも一方に関する少なくとも１つの統計値を備えるクーポンメトリクスレポートを生成するステップとを備える、
方法。
項目１２２．デジタルクーポンを規定するクーポン仕様を受け取るステップはさらに、少なくとも１つのコンピューティングデバイスにおいて、クーポン仕様の提出を支援するアプリケーションプログラミングインターフェース（ＡＰＩ）を提供するステップを備える、項目１２１の方法。
項目１２３．少なくとも１つのクーポン制限はさらに、デジタルクーポンの償還の最大総数を規定するデジタルクーポン予算を備える、項目１２１の方法。
項目１２４．デジタルクーポン予算はさらに、デジタルクーポンを配布することが可能なユーザの最大数を指定する、項目１２３の方法。
項目１２５．少なくとも１つのクーポン制限はさらに、ユーザのためにデジタルクーポンを利用することが可能である少なくとも１つの第三者小売店サイトを規定する小売店制限を備える、項目１２１の方法。
項目１２６．少なくとも１つのクーポン制限はさらに、デジタルクーポンが利用可能であるユーザの人口統計的情報、デジタルクーポンが利用可能であるユーザによってなされた少なくとも１つの製品購入、デジタルクーポンが利用可能であるユーザによって閲覧された少なくとも１つの製品、およびデジタルクーポンが利用可能であるユーザの地理的位置の少なくとも１つを規定するクーポンターゲット基準を備える、項目１２１の方法。
項目１２７．クーポンターゲット基準を実施することによってクーポンが利用可能となるユーザを制限するステップをさらに備える、項目１２６の方法。
項目１２８．クーポン発行者のために少なくとも１つの第三者小売店サイトでデジタルクーポンの償還を支援するステップはさらに、クーポン発行者によって指定されたクーポン制限が違反された場合にデジタルクーポンの償還を拒否することによってクーポン発行者のために少なくとも１つのクーポン制限を実施するステップを備える、項目１２１の方法。
項目１２９．クーポン制限はさらに最小宣伝価格を備え、
少なくとも１つのコンピューティングデバイスにおいて、第三者小売店サイトの商品と関連づけられた最小宣伝価格を特定することによってクーポン制限を実施するステップと、
少なくとも１つのコンピューティングデバイスにおいて、最小宣伝価格がクーポン制限によって指定された価格を超過する場合に、デジタルクーポンの償還を拒否するステップとをさらに備える、
項目１２１の方法。
項目１３０．クーポン仕様はさらに、クーポン発行者が、少なくとも１つの製品の販売と関連して第三者小売店に払い戻しすることを確約する金額を備える、項目１２１の方法。
【図１】
0005695206.tif 000002
【図２】
0005695206.tif 000003
【図３】
0005695206.tif 000004
【図４】
0005695206.tif 000005
【図５】
0005695206.tif 000006
【図６】
0005695206.tif 000007
【図７】
0005695206.tif 000008
【図８Ａ】
0005695206.tif 000009
【図８Ｂ】
0005695206.tif 000010
【図９】
0005695206.tif 000011
【図１０】
0005695206.tif 000012
【図１１】
0005695206.tif 000013
【図１２】
0005695206.tif 000014
【図１３】
0005695206.tif 000015